(57)【特許請求の範囲】
【請求項１】
端末装置が同一の直交周波数分割多重（ＯＦＤＭ）シンボル内で１つの二次サービングセルにおいて物理ランダムアクセスチャネル（ＰＲＡＣＨ）信号を送信し、他のサービングセルにおいてアップリンクのサウンディング参照信号（ＳＲＳ）を送信する場合であって、前記端末装置の総送信電力が前記端末装置の最大出力電力よりも大きいとき、前記端末装置は、前記他のサービングセルにおけるＳＲＳ信号をドロップするステップと、
前記端末装置が同一のサブフレーム内で１つの二次サービングセルにおいてＰＲＡＣＨ信号を送信し、他のサービングセルにおいて物理アップリンクチャネル信号を送信する場合であって、前記端末装置の総送信電力が前記端末装置の最大出力電力よりも大きいとき、前記端末装置は、前記物理アップリンクチャネル信号の送信電力を調整するステップと、を含む、電力制御方法。
【請求項２】
前記端末装置が同一のサブフレーム内で１つの二次サービングセルにおいてＰＲＡＣＨ信号を送信し、他のサービングセルにおいて物理アップリンクチャネル信号を送信する場合であって、前記端末装置の総送信電力が前記端末装置の最大出力電力よりも大きいとき、前記端末装置は、所定の前記ＰＲＡＣＨ信号及び前記物理アップリンクチャネル信号の優先順位に基づいて、調整後の総送信電力が前記端末装置の最大出力電力以下になるまで、前記ＰＲＡＣＨ信号及び／又は前記物理アップリンクチャネル信号の送信電力を調整するステップ、をさらに含む、請求項１に記載の電力制御方法。
【請求項３】
前記端末装置は、所定の前記ＰＲＡＣＨ信号及び前記物理アップリンクチャネル信号の優先順位に基づいて、前記ＰＲＡＣＨ信号及び／又は前記物理アップリンクチャネル信号の送信電力を調整するステップにおいて、
前記物理アップリンクチャネル信号が１種類ある場合、前記端末装置は、前記ＰＲＡＣＨ信号の優先順位と前記物理アップリンクチャネル信号の優先順位とが同じであるか否かを判断し、
同じである場合、前記端末装置は、調整後の総送信電力が前記端末装置の最大出力電力以下になるまで、前記ＰＲＡＣＨ信号及び前記物理アップリンクチャネル信号の送信電力を均一に低減し、
異なる場合、前記端末装置は、優先順位の高い信号の送信電力を優先的に満たし、調整後の総送信電力が前記端末装置の最大出力電力以下になるまで、優先順位の低い信号の送信電力を低減する、請求項２に記載の電力制御方法。
【請求項４】
前記端末装置は、所定の前記ＰＲＡＣＨ信号及び前記物理アップリンクチャネル信号の優先順位に基づいて、前記ＰＲＡＣＨ信号及び／又は前記物理アップリンクチャネル信号の送信電力を調整するステップにおいて、
前記物理アップリンクチャネル信号が２種類ある場合、前記端末装置は、優先順位の最も高い信号の送信電力を優先的に満たし、残り２つの信号の優先順位が同じであるか否かを判断し、
残り２つの信号の優先順位が同じである場合、前記端末装置は、調整後の総送信電力が前記端末装置の最大出力電力以下になるまで、前記残り２つの信号の送信電力を均一に低減し、
残り２つの信号の優先順位が異なる場合、前記端末装置は、残りの送信電力が優先順位の２番目に高い信号の送信電力を満たすことができるか否かを判断し、
優先順位の２番目に高い信号の送信電力を満たすことができる場合、前記端末装置は、優先順位の２番目に高い信号の送信電力を満たし、調整後の総送信電力が前記端末装置の最大出力電力以下になるまで、優先順位の最も低い信号の送信電力を低減し、
優先順位の２番目に高い信号の送信電力を満たすことができない場合、前記端末装置は、優先順位の最も低い信号の送信電力を０に設定し、残りの送信電力を優先順位の２番目に高い信号に割り当てる、請求項２に記載の電力制御方法。
【請求項５】
前記端末装置は、所定の前記ＰＲＡＣＨ信号及び前記物理アップリンクチャネル信号の優先順位に基づいて、前記ＰＲＡＣＨ信号及び／又は前記物理アップリンクチャネル信号の送信電力を調整するステップにおいて、
前記物理アップリンクチャネル信号が３種類ある場合、前記端末装置は、優先順位の最も高い信号の送信電力を優先的に満たし、残りの送信電力が優先順位の２番目に高い信号の送信電力を満たすことができるか否かを判断し、
優先順位の２番目に高い信号の送信電力を満たすことができない場合、前記端末装置は、残りの送信電力を優先順位の２番目に高い信号に割り当て、他の信号の送信電力を０に設定し、
優先順位の２番目に高い信号の送信電力を満たすことができる場合、優先順位の２番目に高い信号の送信電力を優先的に満たし、残り２つの信号の優先順位が同じであるか否かを判断し、
残り２つの信号の優先順位が同じである場合、前記端末装置は、調整後の総送信電力が前記端末装置の最大出力電力以下になるまで、前記残り２つの信号の送信電力を均一に低減し、
残り２つの信号の優先順位が異なる場合、前記端末装置は、残りの送信電力が前記残り２つの信号のうち優先順位の高い信号の送信電力を満たすことができるか否かを判断し、
前記優先順位の高い信号の送信電力を満たすことができる場合、前記端末装置は、前記優先順位の高い信号の送信電力を満たし、調整後の総送信電力が前記端末装置の最大出力電力以下になるまで、優先順位の最も低い信号の送信電力を低減し、
前記優先順位の高い信号の送信電力を満たすことができない場合、前記端末装置は、優先順位の最も低い信号の送信電力を０に設定し、残りの送信電力を前記優先順位の高い信号に割り当てる、請求項２に記載の電力制御方法。
【請求項６】
前記物理アップリンクチャネル信号は、物理アップリンク制御チャネル（ＰＵＣＣＨ）信号、ＵＣＩを有する物理アップリンク共有チャネル（ＰＵＳＣＨ）信号、及びＵＣＩを有しない物理アップリンク共有チャネル（ＰＵＳＣＨ）信号の任意の組み合わせを含む、請求項２乃至５のいずれかに記載の電力制御方法。
【請求項７】
前記ＰＲＡＣＨ信号、前記ＰＵＣＣＨ信号、前記ＵＣＩを有するＰＵＳＣＨ信号、及び前記ＵＣＩを有しないＰＵＳＣＨ信号の優先順位は、前記ＵＣＩを有しないＰＵＳＣＨ信号の優先順位が前記ＰＲＡＣＨ信号の優先順位以下であり、前記ＰＲＡＣＨ信号の優先順位が前記ＵＣＩを有するＰＵＳＣＨ信号の優先順位よりも低く、前記ＵＣＩを有するＰＵＳＣＨ信号の優先順位が前記ＰＵＣＣＨ信号の優先順位よりも低い、請求項６に記載の電力制御方法。
【請求項８】
端末装置が同一の直交周波数分割多重（ＯＦＤＭ）シンボル内で１つの二次サービングセルにおいて物理ランダムアクセスチャネル（ＰＲＡＣＨ）信号を送信し、他のサービングセルにおいてアップリンクのサウンディング参照信号（ＳＲＳ）を送信する場合であって、前記端末装置の総送信電力が前記端末装置の最大出力電力よりも大きいとき、前記他のサービングセルにおけるＳＲＳ信号をドロップする第１の処理手段と、
前記端末装置が同一のサブフレーム内で１つの二次サービングセルにおいてＰＲＡＣＨ信号を送信し、他のサービングセルにおいて物理アップリンクチャネル信号を送信する場合であって、前記端末装置の総送信電力が前記端末装置の最大出力電力よりも大きいとき、前記物理アップリンクチャネル信号の送信電力を調整する第２の処理手段と、を含む、端末装置。
【請求項９】
前記端末装置が同一のサブフレーム内で１つの二次サービングセルにおいてＰＲＡＣＨ信号を送信し、他のサービングセルにおいて物理アップリンクチャネル信号を送信する場合であって、前記端末装置の総送信電力が前記端末装置の最大出力電力よりも大きいとき、前記第２の処理手段は、所定の前記ＰＲＡＣＨ信号及び前記物理アップリンクチャネル信号の優先順位に基づいて、調整後の総送信電力が前記端末装置の最大出力電力以下になるまで、前記ＰＲＡＣＨ信号及び／又は前記物理アップリンクチャネル信号の送信電力を調整する、請求項８に記載の端末装置。
【請求項１０】
前記物理アップリンクチャネル信号が１種類ある場合、前記第２の処理手段は、
前記ＰＲＡＣＨ信号の優先順位と前記物理アップリンクチャネル信号の優先順位とが同じであるか否かを判断する第１の判断モジュールと、
前記第１の判断モジュールによりＹＥＳと判断された場合、調整後の総送信電力が前記端末装置の最大出力電力以下になるまで、前記ＰＲＡＣＨ信号及び前記物理アップリンクチャネル信号の送信電力を均一に低減する第１の処理モジュールと、
前記第１の判断モジュールによりＮＯと判断された場合、優先順位の高い信号の送信電力を優先的に満たし、調整後の総送信電力が前記端末装置の最大出力電力以下になるまで、優先順位の低い信号の送信電力を低減する第２の処理モジュールと、を含む、請求項９に記載の端末装置。
【請求項１１】
前記物理アップリンクチャネル信号が２種類ある場合、前記第２の処理手段は、
優先順位の最も高い信号の送信電力を優先的に満たす第３の処理モジュールと、
前記第３の処理モジュールの処理後、残り２つの信号の優先順位が同じであるか否かを判断する第２の判断モジュールと、
前記第２の判断モジュールによりＹＥＳと判断された場合、調整後の総送信電力が前記端末装置の最大出力電力以下になるまで、前記残り２つの信号の送信電力を均一に低減する第４の処理モジュールと、
前記第２の判断モジュールによりＮＯと判断された場合、残りの送信電力が優先順位の２番目に高い信号の送信電力を満たすことができるか否かを判断する第３の判断モジュールと、
前記第３の判断モジュールによりＹＥＳと判断された場合、優先順位の２番目に高い信号の送信電力を満たし、調整後の総送信電力が前記端末装置の最大出力電力以下になるまで、優先順位の最も低い信号の送信電力を低減する第５の処理モジュールと、
前記第３の判断モジュールによりＮＯと判断された場合、優先順位の最も低い信号の送信電力を０に設定し、残りの送信電力を優先順位の２番目に高い信号に割り当てる第６の処理モジュールと、を含む、請求項９に記載の端末装置。
【請求項１２】
前記物理アップリンクチャネル信号が３種類ある場合、前記第２の処理手段は、
優先順位の最も高い信号の送信電力を優先的に満たす第７の処理モジュールと、
前記第７の処理モジュールの処理後、残りの送信電力が優先順位の２番目に高い信号の送信電力を満たすことができるか否かを判断する第４の判断モジュールと、
前記第４の判断モジュールによりＮＯと判断された場合、残りの送信電力を優先順位の２番目に高い信号に割り当て、他の信号の送信電力を０に設定する第８の処理モジュールと、
前記第４の判断モジュールによりＹＥＳと判断された場合、優先順位の２番目に高い信号の送信電力を優先的に満たす第９の処理モジュールと、
前記第９の処理モジュールの処理後、残り２つの信号の優先順位が同じであるか否かを判断する第５の判断モジュールと、
前記第５の判断モジュールによりＹＥＳと判断された場合、調整後の総送信電力が前記端末装置の最大出力電力以下になるまで、前記残り２つの信号の送信電力を均一に低減する第１０の処理モジュールと、
前記第５の判断モジュールによりＮＯと判断された場合、残りの送信電力が前記残り２つの信号のうち優先順位の高い信号の送信電力を満たすことができるか否かを判断する第６の判断モジュールと、
前記第６の判断モジュールによりＹＥＳと判断された場合、前記優先順位の高い信号の送信電力を満たし、調整後の総送信電力が前記端末装置の最大出力電力以下になるまで、優先順位の最も低い信号の送信電力を低減する第１１の処理モジュールと、
前記第６の判断モジュールによりＮＯと判断された場合、優先順位の最も低い信号の送信電力を０に設定し、残りの送信電力を前記優先順位の高い信号に割り当てる第１２の処理モジュールと、を含む、請求項９に記載の端末装置。
【請求項１３】
端末装置においてプログラムを実行する際に、コンピュータに、請求項１乃至７のいずれかに記載の電力制御方法を前記端末装置において実行させるコンピュータ読み出し可能なプログラム。
【請求項１４】
コンピュータに、請求項１乃至７のいずれかに記載の電力制御方法を端末装置において実行させるためのコンピュータ読み出し可能なプログラムを記憶する記憶媒体。
【発明の詳細な説明】
【技術分野】
【０００１】
本発明は、通信分野に関し、特に端末電力が制限されている場合の電力制御方法及び端末装置に関する。
【背景技術】
【０００２】
ロングタームエボリューション（LTE：Long  Term  Evolution）システムでは、端末装置が物理アップリンク共有チャネル（PUSCH：Physical  uplink  share  channel）、物理アップリンク制御チャネル（PUCCH：Physical  uplink  control  channel）、アップリンクのサウンディング参照信号（SRS：Sounding  reference  signal）及び物理ランダムアクセスチャネル（PRACH：Physical  random  access  channel）を送信する時の電力制御方法が定義されている（3GPP  TS  36.213  v  8.6.0）。
【０００３】
そのうち、ＰＵＳＣＨの電力制御の式は次のとおりである。
【数１】
0005915741.tif 000002
【０００４】
ＰＵＣＣＨの電力制御の式は次のとおりである。
【数２】
0005915741.tif 000003
【０００５】
SRSの電力制御の式は次のとおりである。
【数３】
0005915741.tif 000004
【０００６】
PRACHの電力制御の式は次のとおりである。
【数４】
0005915741.tif 000005
【０００７】
ＬＴＥシステムにおいては、同一の端末装置は、同一サブフレーム内でＰＵＳＣＨ、ＰＵＣＣＨ及びＰＲＡＣＨを同時に送信しない。また、同一の端末装置は、同一の直交周波数分割多重（OFDM：Orthogonal  Frequency  Division  Multiplexing）シンボル内でＳＲＳとＰＵＳＣＨ、ＳＲＳとＰＵＣＣＨ、及びＳＲＳとＰＲＡＣＨを同時に送信しない。一方、ＰＵＳＣＨ、ＰＵＣＣＨ、ＰＲＡＣＨ及びＳＲＳの電力制御の式から分かるように、上記アップリンク信号の送信電力が端末装置の設定最大出力電力（PCMAX：Configured  Maximum  Output  Power）を超えた、即ち端末装置の出力電力のオーバーフローが発生した場合、端末装置が上記アップリンク信号を送信する時に用いられる送信電力は、端末装置の設定最大出力電力に等しい。
【０００８】
強化されたＬＴＥ（LTE-A：LTE-Advanced）システムのＲｅｌ−１０においては、キャリアアグリゲーション技術を用い、各サービングセルにおいて電力アップリンク送信信号の電力を独立して制御する。具体的な制御方法は次のとおりである。
【０００９】
ＰＵＳＣＨの電力制御：
サービングセルｃにおいてＰＵＳＣＨのみを伝送する場合、端末装置は、ｉ番目のサブフレーム内でサービングセルｃにおいてＰＵＳＣＨを送信する送信電力は次のとおりである。
【数５】
0005915741.tif 000006
【００１０】
サービングセルｃにおいてＰＵＳＣＨ及びＰＵＣＣＨを伝送する場合、端末装置は、ｉ番目のサブフレーム内でサービングセルｃにおいてＰＵＳＣＨを送信する送信電力は次のとおりである。
【数６】
0005915741.tif 000007
【００１１】
ＰＵＣＣＨの電力制御：
サービングセルｃにおいてＰＵＣＣＨを伝送する場合、端末装置は、ｉ番目のサブフレーム内でサービングセルｃにおいてＰＵＣＣＨを送信する送信電力は次のとおりである。
【数７】
0005915741.tif 000008
【００１２】
ＳＲＳの電力制御：
サービングセルｃにおいてＳＲＳを伝送する場合、端末装置は、ｉ番目のサブフレーム内でサービングセルｃにおいてＳＲＳを送信する送信電力は次のとおりである。
【数８】
0005915741.tif 000009
【００１３】
ＰＲＡＣＨの送信電力の制御方法はＬＴＥと同様であり、ここでその説明を省略とさせる。
【００１４】
キャリアアグリゲーション技術を用いるため、端末装置が複数のサービングセルを設定すると、同一のサブフレーム内で、異なるサービングセルにおいて複数のＰＵＳＣＨを同時に送信することがあり（図１ａ）、或いはＰＵＳＣＨとＰＵＣＣＨを同時に送信することがある（図１ｂ）。一方、端末の能力が強化されているため、端末装置は、プライマリサービングセル（Primary  Serving  Cell）において同一のサブフレーム内でＰＵＳＣＨとＰＵＣＣＨを同時に送信できる（図１ｃ）。
【００１５】
上記のケースが発生した場合、即ち端末装置が同一のサブフレーム内で複数のＰＵＳＣＨを同時に送信する、或いはＰＵＳＣＨ及びＰＵＣＣＨを同時に送信する場合、複数のＰＵＳＣＨの送信電力の総和が端末装置の設定最大出力電力よりも大きいこと、又はＰＵＳＣＨとＰＵＣＣＨとの送信電力の総和が端末装置の最大出力電力よりも大きいことが生じてしまう。この場合の端末装置の送信電力を割り当てるため、ＬＴＥ−Ａの標準化では、端末装置の送信電力が制限されている場合の電力制御方法が定義されている。具体的には、以下のとおりである。
【００１６】
アップリンク制御信号（UCI：Uplink  control  signal）を有しない複数のＰＵＳＣＨのみを同時に送信する場合、端末装置は、式（５）に基づいて各サービングセルにおけるＰＵＳＣＨに必要な送信電力を計算する。この際に得られた総送信電力が端末装置の最大出力電力を超えた場合、端末装置は、総送信電力が端末装置の最大出力電力以下になるまで、各ＰＵＳＣＨの送信電力を均一に低減する。
【００１７】
ＵＣＩを有しないＰＵＳＣＨとＰＵＣＣＨを同時に送信する場合、端末装置は、式（５）に基づいてＰＵＳＣＨのみを伝送するサービングセルにおけるＰＵＳＣＨに必要な送信電力を計算し、式（６）及び式（７）に基づいてＰＵＳＣＨとＰＵＣＣＨを伝送するサービングセルにおけるＰＵＳＣＨに必要な送信電力及びＰＵＣＣＨに必要な送信電力を計算する。この際に得られた総送信電力が端末装置の最大出力電力を超えた場合、端末装置は、ＰＵＣＣＨの送信電力を優先的に満たして、総送信電力が端末装置の最大出力電力以下になるまで、ＵＣＩを有しない各ＰＵＳＣＨの送信電力を均一に低減する。
【００１８】
ＵＣＩを有しないＰＵＳＣＨとＵＣＩを有するＰＵＳＣＨを同時に送信する場合、端末装置は、式（５）に基づいて各サービングセルにおけるＰＵＳＣＨに必要な送信電力を計算する。この際に得られた総送信電力が端末装置の最大出力電力を超えた場合、端末装置は、ＵＣＩを有するＰＵＳＣＨの送信電力を優先的に満たして、総送信電力が端末装置の最大出力電力以下になるまで、ＵＣＩを有しない各ＰＵＳＣＨの送信電力を均一に低減する。
【００１９】
ＰＵＣＣＨとＵＣＩを有しないＰＵＳＣＨとＵＣＩを有するＰＵＳＣＨを同時に送信する場合、端末装置は、式（５）に基づいてＰＵＳＣＨのみを伝送するサービングセルにおけるＰＵＳＣＨに必要な送信電力を計算し、式（６）及び式（７）に基づいてＰＵＳＣＨとＰＵＣＣＨを伝送するサービングセルにおけるＰＵＳＣＨに必要な送信電力及びＰＵＣＣＨに必要な送信電力を計算する。この際に得られた総送信電力が端末装置の最大出力電力を超えた場合、端末装置は、ＰＵＣＣＨの送信電力を優先的に満たして、その後、ＵＣＩを有するＰＵＳＣＨの送信電力を満たして、総送信電力が端末装置の最大出力電力以下になるまで、各ＵＣＩを有しないＰＵＳＣＨの送信電力を均一に低減する。
【００２０】
強化されたＬＴＥ（LTE-A：LTE-Advanced）システムのＲｅｌ−１０においては、端末装置は複数のサービングセルを設定している場合、端末装置は、全てのサービングセルにおいてアップリンク信号を送信する時に、同一のアップリンクのタイミング前進量値を用いて、アップリンクの同期を確保する。該タイミング前進量の初期値は、プライマリサービングセルにおいてランダムアクセスを行うことによって得られる。従って、Ｒｅｌ−１０では、基地局は、端末装置のプライマリサービングセル（PCell：Primary  Serving  Cell）のみにＰＲＡＣＨチャネルを設定する。一方、端末装置もＰＣｅｌｌのみにおいてＰＲＡＣＨ信号を送信する。また、端末装置がＰｃｅｌｌにおいてＰＲＡＣＨ信号を送信する場合、端末装置は、ＰＣｅｌｌ又は他の二次サービングセル（Secondary  Serving  Cell）において、ＰＵＳＣＨ、ＰＵＣＣＨ及びＳＲＳを含む他のアップリンク信号を送信しない。
【００２１】
発明者による発見によれば、Ｒｅｌ−１１では、アップリンクは異なる基地局からのキャリアのアグリゲーション及びバンド間のキャリアアグリゲーション技術をサポートする必要があるため、全てのＳＣｅｌｌがＰＣｅｌｌと同じアップリンク信号のタイミング前進量を有することが確保されない。端末装置はあるＳＣｅｌｌのタイミング前進量を得るため、該ＳＣｅｌｌにおいてランダムアクセスを行う必要がある。従って、Ｒｅｌ−１１では、基地局は端末装置のあるＳＣｅｌｌにおいてＰＲＡＣＨチャネルを設定する必要がある。また、端末装置は該ＳＣｅｌｌにおいてＰＲＡＣＨ信号を送信する必要もある。この際に、上記のＲｅｌ−１０において発生する、端末装置が同一のサブフレーム内で複数のＰＵＳＣＨ、又はＰＵＳＣＨとＰＵＣＣＨを同時に送信するケース以外、端末装置がＰＵＳＣＨとＰＲＡＣＨ、ＰＵＣＣＨとＰＲＡＣＨ、及びＳＲＳとＰＲＡＣＨを同時に送信する場合もある。従って、下記３つのケースでは、端末装置の総送信電力が端末装置の設定最大出力電力よりも大きいことが生じる場合がある。
【００２２】
ケース１（図２）：端末装置がＰＣｅｌｌとＳＣｅｌｌにおいてＰＵＸＣＨ（ＰＵＸＣＨは、ＰＵＳＣＨ又はＰＵＣＣＨを表す）とＰＲＡＣＨをそれぞれ送信するための総送信電力は、端末装置の設定最大出力電力よりも大きい。
【００２３】
ケース２（図３）：端末装置がＰＣｅｌｌとＳＣｅｌｌにおいてＳＲＳとＰＲＡＣＨをそれぞれ送信するための総送信電力は、端末装置の設定最大出力電力よりも大きい。
【００２４】
ケース３（図４）：端末装置がＰＣｅｌｌとＳＣｅｌｌにおいてＰＵＸＣＨとＰＲＡＣＨそれぞれを送信するための総送信電力、及びＳＲＳとＰＲＡＣＨをそれぞれ送信する総送信電力は、共に端末装置の設定最大出力電力よりも大きい。
【００２５】
このように、端末装置が同一のサブフレーム内でＰＵＳＣＨとＰＲＡＣＨを同時に送信するための総送信電力が端末装置の設定最大出力電力よりも大きい場合、端末装置が同一のサブフレーム内でＰＵＣＣＨとＰＲＡＣＨを同時に送信するための総送信電力が端末装置の設定最大出力電力よりも大きい場合、又は端末装置が同一のＯＦＤＭシンボル内でＳＲＳとＰＲＡＣＨを同時に送信するための総送信電力が端末装置の設定最大出力電力よりも大きい場合、端末装置がアップリンク送信信号の電力をどのように制御するのかは課題となる。
【００２６】
なお、従来技術に関する上記の説明は、単なる本発明の技術案をより明確、完全に説明するためのものであり、当業者を理解させるために説明するものであり。これら技術案が本発明の背景技術の部分に説明されているから当業者にとって周知の技術であると解釈してはならない。
【発明の概要】
【発明が解決しようとする課題】
【００２７】
本発明の実施例は、端末装置が同一のＯＦＤＭシンボル内でＳＲＳとＰＲＡＣＨを同時に送信する場合、総送信電力が該端末装置の設定最大出力電力よりも大きいという問題点、及び／又は端末装置が同一のサブフレーム内でＰＲＡＣＨと他の物理アップリンクチャネル信号を同時に送信する場合、総送信電力が該端末装置の設定最大出力電力よりも大きいという問題点を解決する、端末電力が制限されている場合の電力制御方法及び端末装置を提供することを目的とする。
【課題を解決するための手段】
【００２８】
本発明の実施例の一の態様によれば、端末装置が同一の直交周波数分割多重（ＯＦＤＭ）シンボル内で１つの二次サービングセルにおいて物理ランダムアクセスチャネル（ＰＲＡＣＨ）信号を送信し、他のサービングセルにおいてアップリンクのサウンディング参照信号（ＳＲＳ）を送信する場合、前記端末装置は、前記他のサービングセルにおけるＳＲＳ信号をドロップする、或いは前記二次サービングセルにおける、前記他のサービングセルにおけるＳＲＳ信号と同一のＯＦＤＭシンボル内に位置するＰＲＡＣＨ信号のシンボルを破壊するステップ、を含む、電力制御方法を提供する。
【００２９】
該電力制御方法では、端末装置が同一のサブフレーム内で１つの二次サービングセルにおいてＰＲＡＣＨ信号を送信し、他のサービングセルにおいて物理アップリンクチャネル信号を送信する場合、前記端末装置の総送信電力が前記端末装置の最大出力電力よりも大きいとき、前記端末装置は、所定の前記ＰＲＡＣＨ信号及び前記物理アップリンクチャネル信号の優先順位に基づいて、調整後の総送信電力が前記端末装置の最大出力電力以下になるまで、前記ＰＲＡＣＨ信号及び／又は前記物理アップリンクチャネル信号の送信電力を調整するステップ、をさらに含む。
【００３０】
本発明の実施例の他の態様によれば、端末装置が同一の直交周波数分割多重（ＯＦＤＭ）シンボル内で１つの二次サービングセルにおいて物理ランダムアクセスチャネル（ＰＲＡＣＨ）信号を送信し、他のサービングセルにおいてアップリンクのサウンディング参照信号（ＳＲＳ）を送信する場合、前記端末装置の総送信電力が前記端末装置の最大出力電力よりも大きいとき、前記端末装置は、前記ＰＲＡＣＨ信号及び前記ＳＲＳ信号の優先順位に基づいて、前記ＰＲＡＣＨ信号及び前記ＳＲＳ信号の送信電力を調整するステップ、を含む、電力制御方法をさらに提供する。
【００３１】
該電力制御方法では、端末装置が同一のサブフレーム内で１つの二次サービングセルにおいてＰＲＡＣＨ信号を送信し、他のサービングセルにおいて物理アップリンクチャネル信号を送信する場合、前記端末装置の総送信電力が前記端末装置の最大出力電力よりも大きいとき、前記端末装置は、所定の前記ＰＲＡＣＨ信号及び前記物理アップリンクチャネル信号の優先順位に基づいて、調整後の総送信電力が前記端末装置の最大出力電力以下になるまで、前記ＰＲＡＣＨ信号の送信電力を調整する、或いは前記ＰＲＡＣＨ信号及び前記物理アップリンクチャネル信号の送信電力を調整するステップ、をさらに含む。
【００３２】
本発明の実施例の他の態様によれば、端末装置が同一の直交周波数分割多重（ＯＦＤＭ）シンボル内で１つの二次サービングセルにおいて物理ランダムアクセスチャネル（ＰＲＡＣＨ）信号を送信し、他のサービングセルにおいてアップリンクのサウンディング参照信号（ＳＲＳ）を送信するか否かを決定する第１の決定手段と、前記第１の決定手段によりＹＥＳと決定された場合、前記他のサービングセルにおけるＳＲＳ信号をドロップする、或いは前記二次サービングセルにおける、前記他のサービングセルにおけるＳＲＳ信号と同一のＯＦＤＭシンボル内に位置するＰＲＡＣＨ信号のシンボルを破壊する第１の処理手段と、を含む、端末装置をさらに提供する。
【００３３】
該実施例では、該端末装置は、端末装置が同一のサブフレーム内で１つの二次サービングセルにおいてＰＲＡＣＨ信号を送信し、他のサービングセルにおいて物理アップリンクチャネル信号を送信するか否かを決定する第２の決定手段と、前記第２の決定手段によりＹＥＳと決定された場合、総送信電力が最大出力電力よりも大きいとき、所定の前記ＰＲＡＣＨ信号及び前記物理アップリンクチャネル信号の優先順位に基づいて、調整後の総送信電力が前記端末装置の最大出力電力以下になるまで、前記ＰＲＡＣＨ信号及び／又は前記物理アップリンクチャネル信号の送信電力を調整する第２の処理手段と、をさらに含む。
【００３４】
本発明の実施例の他の態様によれば、端末装置が同一の直交周波数分割多重（ＯＦＤＭ）シンボル内で１つの二次サービングセルにおいて物理ランダムアクセスチャネル（ＰＲＡＣＨ）信号を送信し、他のサービングセルにおいてアップリンクのサウンディング参照信号（ＳＲＳ）を送信するか否かを決定する第１の決定手段と、前記第１の決定手段によりＹＥＳと決定された場合、総送信電力が前記端末装置の最大出力電力よりも大きいか否かを判断する第１の判断手段と、前記第１の判断手段によりＹＥＳと判断された場合、前記ＰＲＡＣＨ信号及び前記ＳＲＳ信号の優先順位に基づいて、前記ＰＲＡＣＨ信号及び前記ＳＲＳ信号の送信電力を調整する第１の処理手段と、を含む、端末装置をさらに提供する。
【００３５】
該実施例では、該端末装置は、端末装置が同一のサブフレーム内で１つの二次サービングセルにおいてＰＲＡＣＨ信号を送信し、他のサービングセルにおいて物理アップリンクチャネル信号を送信するか否かを決定する第２の決定手段と、前記第２の決定手段によりＹＥＳと決定された場合、総送信電力が前記端末装置の最大出力電力よりも大きいか否かを判断する第２の判断手段と、前記第２の判断手段によりＹＥＳと判断された場合、所定の前記ＰＲＡＣＨ信号及び前記物理アップリンクチャネル信号の優先順位に基づいて、調整後の総送信電力が前記端末装置の最大出力電力以下になるまで、前記ＰＲＡＣＨ信号の送信電力を調整する、或いは前記ＰＲＡＣＨ信号及び前記物理アップリンクチャネル信号の送信電力を調整する第２の処理手段と、をさらに含む。
【００３６】
本発明の実施例の有益な効果としては、Ｒｅｌ−１１において新たに発生するケース、例えば端末装置が同一のＯＦＤＭシンボル内でＳＲＳとＰＲＡＣＨを同時に送信する場合、総送信電力が該端末装置の設定最大出力電力よりも大きいという問題点、及び／又は端末装置が同一のサブフレーム内でＰＲＡＣＨと他の物理アップリンクチャネル信号を同時に送信する場合、総送信電力が該端末装置の設定最大出力電力よりも大きいという問題点を解決できる。
【００３７】
下記の説明及び図面に示すように、本発明の特定の実施形態が詳細に開示され、本発明の原理を採用できる方式が示される。なお、本発明の実施形態の範囲はこれらに限定されない。本発明の実施形態は、添付される特許請求の範囲の要旨及び項目の範囲内において、変更されたもの、修正されたもの及び均等的なものを含む。
【００３８】
１つの実施形態に記載された特徴及び／又は示された特徴は、同一又は類似の方式で１つ又はさらに多くの他の実施形態で用いられてもよいし、他の実施形態における特徴と組み合わせてもよいし、他の実施形態における特徴に代わってもよい。
【００３９】
なお、本文では、用語「包括／含む／有する」は、特徴、部材、ステップ又はコンポーネントが存在することを指し、一つ又は複数の他の特徴、部材、ステップ又はコンポーネントの存在又は付加を排除しない。
【図面の簡単な説明】
【００４０】
本発明の多くの態様は、以下の図面を参照しながら理解できる。図面における素子は比例に応じて記載されたものではなく、本発明の原理を示すためのものである。本発明の一部分を示す又は記載するため、図面における対応部分は拡大或いは縮小される可能性がある。本発明の１つの図面及び１つの実施形態に記載された要素及び特徴は、１つ又はさらに多くの図面又は実施形態に示された要素及び特徴と組み合わせてもよい。また、図面において、類似の符号は複数の図面における対応する素子を示し、１つ以上の実施形態に用いられる対応素子を示してもよい。
【図１】図１ａは、ＬＴＥ−ＡシステムのＲｅｌ−１０において、端末装置が同一のサブフレーム内で異なるセルにおいて複数のＰＵＳＣＨを同時に送信することを示す図であり、図１ｂは、ＬＴＥ−ＡシステムのＲｅｌ−１０において、端末装置が同一のサブフレーム内で異なるセルにおいてＰＵＳＣＨとＰＵＣＣＨを同時に送信することを示す図であり、図１ｃは、ＬＴＥ−ＡシステムのＲｅｌ−１０において、端末装置が同一のサブフレーム内でプライマリサービングセルにおいてＰＵＳＣＨとＰＵＣＣＨを同時に送信することを示す図である。
【図２】ＬＴＥ−ＡシステムのＲｅｌ−１０において、端末装置が異なるセルにおいてＰＵＸＣＨとＰＲＡＣＨを同時に送信することを示す図である。
【図３】ＬＴＥ−ＡシステムのＲｅｌ−１０において、端末装置が異なるセルにおいてＳＲＳとＰＲＡＣＨそれぞれを同時に送信することを示す図である。
【図４】ＬＴＥ−ＡシステムのＲｅｌ−１０において、端末装置が異なるセルにおいてＰＵＸＣＨ、ＳＲＳ及びＰＲＡＣＨそれぞれを同時に送信することを示す図である。
【図５】本発明の実施例に係る電力制御方法のフローチャートである。
【図６】図５の実施例に基づく、本発明の他の実施例に係る電力制御方法のフローチャートである。
【図７ａ】図６の実施例におけるステップ６０２の方法のフローチャートである。
【図７ｂ】図６の実施例におけるステップ６０２の方法のフローチャートである。
【図７ｃ】図６の実施例におけるステップ６０２の方法のフローチャートである。
【図８】本発明の他の実施例に係る電力制御方法のフローチャートである。
【図９】図８の実施例に基づく、本発明の他の実施例に係る電力制御方法のフローチャートである。
【図１０ａ】図９の実施例におけるステップ９０２の方法のフローチャートである。
【図１０ｂ】図９の実施例におけるステップ９０２の方法のフローチャートである。
【図１０ｃ】図９の実施例におけるステップ９０２の方法のフローチャートである。
【図１１】本発明の実施例に係る端末装置の構成を示す図である。
【図１２】本発明の他の実施例に係る端末装置の構成を示す図である。
【発明を実施するための形態】
【００４１】
本発明の実施例の前述した特徴及び他の特徴は、図面を参照しながら、下記の明細書を通じて分かる。これらの実施形態は例示的なものに過ぎなく、本発明を限定するものではない。
【００４２】
以下の実施例１に示すように、本発明の実施例は端末装置の電力制御方法を提供する。
【００４３】
＜実施例１＞
図５は、本発明の実施例に係る電力制御方法のフローチャートである。図５に示すように、該方法は下記のステップを含む。
【００４４】
ステップ５０１：端末装置が同一の直交周波数分割多重（ＯＦＤＭ）シンボル内で１つの二次サービングセルにおいて物理ランダムアクセスチャネル（ＰＲＡＣＨ）信号を送信し、他のサービングセルにおいてアップリンクのサウンディング参照信号（ＳＲＳ）を送信するか否かを決定する。
【００４５】
ここで、他のサービングセルは、プライマリサービングセル（ＰＣｅｌｌ）であってもよいし、上記二次サービングセル以外の他の二次サービングセル（ＳＣｅｌｌ）であってもよい。
【００４６】
ここで、ＳＲＳ信号は、周期的なＳＲＳ信号であってもよいし、非周期的なＳＲＳ信号であってもよい。
【００４７】
ステップ５０２：端末装置が同一のＯＦＤＭシンボル内で１つの二次サービングセルにおいてＰＲＡＣＨ信号を送信し、他のサービングセルにおいてＳＲＳを送信する場合、端末装置は、該ＯＦＤＭシンボル内で該ＰＲＡＣＨ信号のみを送信する、或いは該ＳＲＳ信号のみを送信する。
【００４８】
ここで、端末装置が該ＯＦＤＭシンボル内でＰＲＡＣＨ信号のみを送信する場合、端末装置は、該他のサービングセルにおけるＳＲＳ信号をドロップ（drop）してもよい。即ち、同一のＯＦＤＭシンボル内で異なるサービングセルにおいてＰＲＡＣＨ信号とＳＲＳ信号を同時に送信する場合、ＰＲＡＣＨ信号のみを送信することを確保する。
【００４９】
また、端末装置が該ＯＦＤＭシンボル内でＳＲＳ信号のみを送信する場合、端末装置は、該二次サービングセルにおける、該他のサービングセルにおけるＳＲＳ信号と同一のＯＦＤＭシンボル内に位置するＰＲＡＣＨ信号のシンボルを破壊（puncture）してもよい。即ち、同一のＯＦＤＭシンボル内で異なるサービングセルにおいてＰＲＡＣＨ信号とＳＲＳ信号を同時に送信する場合、ＳＲＳ信号のみを送信することを確保する。
【００５０】
以上の方法によれば、同一のＯＤＦＭシンボル内で異なるサービングセルにおいてＰＲＡＣＨ信号とＳＲＳ信号を同時に送信する場合、ＳＲＳ信号のみ又はＰＲＡＣＨ信号のみを送信することで、端末装置の送信電力を低減し、端末装置が同一のＯＤＦＭシンボル内でＳＲＳ信号及びＰＲＡＣＨ信号を同時に送信することによる、総送信電力が設定最大出力電力よりも大きいという問題点を解決できる。
【００５１】
実施例２に示すように、本発明の実施例は、端末装置の電力制御方法をさらに提供する。該方法は、実施例１の方法を基礎として、端末装置が同一のサブフレーム内で１つの二次サービングセルにおいてＰＲＡＣＨ信号を送信し、他のサービングセルにおいて物理アップリンクチャネル信号を送信する場合の端末装置の電力制御プロセスである。なお、実施例１と重複する部分は、ここで省略とされる。
【００５２】
＜実施例２＞
図６は、本発明の実施例に係る電力制御方法のフローチャートである。図６に示すように、該方法は下記のステップを含む。
【００５３】
ステップ６０１：端末装置が同一のＯＦＤＭシンボル内で１つの二次サービングセルにおいてＰＲＡＣＨ信号を送信し、他のサービングセルにおいてＳＲＳを送信する場合、端末装置は、該ＯＦＤＭシンボル内で該ＰＲＡＣＨ信号のみを送信する、或いは該ＳＲＳ信号のみを送信する。
【００５４】
なお、該ステップ６０１の処理と実施例１の方法の処理と同じであるため、その説明はここで省略とされる。
【００５５】
ステップ６０２：端末装置が同一のサブフレーム内で１つの二次サービングセルにおいてＰＲＡＣＨ信号を送信し、他のサービングセルにおいて物理アップリンクチャネル信号を送信する場合、計算により得られた端末装置の総送信電力（即ちＰＲＡＣＨ信号を送信する送信電力と物理アップリンクチャネル信号を送信する送信電力との和）が該端末装置の最大出力電力よりも大きいとき、端末装置は、所定の該ＰＲＡＣＨ信号及び該物理アップリンクチャネル信号の優先順位に基づいて、調整後の総送信電力が該端末装置の最大出力電力以下になるまで、該ＰＲＡＣＨ信号及び／又は該物理アップリンクチャネル信号の送信電力を調整する。
【００５６】
ここで、他のサービングセルにおいて送信可能な物理アップリンクチャネル信号は、物理アップリンク制御チャネル（ＰＵＣＣＨ）信号、ＵＣＩを有する物理アップリンク共有チャネル（ＰＵＳＣＨ）信号、及びＵＣＩを有しない物理アップリンク共有チャネル（ＰＵＳＣＨ）信号の任意の組み合わせを含む。なお、他のサービングセルは該物理アップリンクチャネル信号の類別によって異なり、例えばＰＵＳＣＨ信号について、他のサービングセルはプライマリサービングセルであってもよいし、上記二次サービングセル以外の他の二次サービングセルであってもよい、ＰＵＣＣＨ信号について、他のサービングセルはプライマリサービングセルを指す。
【００５７】
ここで、該他のサービングセルにおいて送信された物理アップリンクチャネル信号の類別が異なるため、本実施例では、端末装置の該ＰＲＡＣＨ信号を送信する送信電力と該物理アップリンクチャネル信号を送信する送信電力との総送信電力が該端末装置の最大出力電力よりも大きいとき、端末装置は、該ＰＲＡＣＨ信号及び該物理アップリンクチャネル信号の優先順位に基づいて、調整後の総送信電力が該端末装置の最大出力電力以下になるまで、該ＰＲＡＣＨ信号又は該物理アップリンクチャネル信号の送信電力を調整する。ここで、各信号の優先順位は予め設定されてもよく、本実施例では、各信号の優先順位は、ＵＣＩを有しないＰＵＳＣＨ信号の優先順位がＰＲＡＣＨ信号の優先順位以下であり（即ち、ＵＣＩを有しないＰＵＳＣＨ信号の優先順位は、ＰＲＡＣＨ信号の優先順位よりも低い、或いはＰＲＡＣＨ信号の優先順位に等しい）、ＰＲＡＣＨ信号の優先順位がＵＣＩを有するＰＵＳＣＨ信号の優先順位よりも低く、ＵＣＩを有するＰＵＳＣＨ信号の優先順位がＰＵＣＣＨ信号の優先順位よりも低い。
【００５８】
本実施例では、優先順位の相対的に低い信号は端末装置に対して相対的に重要ではないため、本実施例では、優先順位の相対的に低い信号の送信電力を低減し、優先順位の相対的に高い信号の送信を確保する、というルールに従う。以下の説明では、残りの送信電力とは、端末装置の最大出力電力から既に割り当てられた送信電力を引いて残った送信電力を指す。
【００５９】
１つの実施形態では、ステップ６０２は図７ａ〜図７ｃに示す方法により実現でき、図７ａ〜図７ｃを参照しながら説明する。
【００６０】
図７ａ〜図７ｃに示すように、該方法は以下のステップを含む。
【００６１】
ステップ７０１：端末装置は、送信される各信号の送信電力を計算することで総送信電力を取得する。
【００６２】
ステップ７０２：端末装置は、該総送信電力が該端末装置の最大出力電力よりも大きいか否かを判断し、ＹＥＳの場合、ステップ７０３に進み、そうでない場合、処理を終了する。
【００６３】
ステップ７０３：端末装置は、送信される物理アップリンクチャネル信号の種類を判断し、１種類のみの場合、ステップ７０４に進み、２種類の場合、ステップ７０７に進み、３種類の場合、ステップ７１３に進む。
【００６４】
図７ａには、同時に送信される物理アップリンクチャネル信号が１種類のみある場合を示している。
【００６５】
ステップ７０４：端末装置は、ＰＲＡＣＨ信号の優先順位と送信される物理アップリンクチャネル信号の優先順位とが同じであるか否かを判断し、同じである場合、ステップ７０５に進み、そうでない場合、ステップ７０６に進む。
【００６６】
ステップ７０５：端末装置は、調整後の総送信電力が端末装置の最大出力電力以下になるまで、該ＰＲＡＣＨ信号及び該物理アップリンクチャネル信号の送信電力を均一に低減する。
【００６７】
ステップ７０６：端末装置は、優先順位の高い信号の送信電力を優先的に満たし、調整後の総送信電力が端末装置の最大出力電力以下になるまで、優先順位の低い信号の送信電力を低減する。
【００６８】
図７ｂには、同時に送信される物理アップリンクチャネル信号が２種類ある場合を示している。
【００６９】
ステップ７０７：端末装置は、優先順位の最も高い信号の送信電力を優先的に満たす。
【００７０】
ステップ７０８：端末装置は、残り２つの信号の優先順位が同じであるか否かを判断し、同じである場合、ステップ７０９に進み、そうでない場合、ステップ７１０に進む。
【００７１】
ステップ７０９：端末装置は、調整後の総送信電力が端末装置の最大出力電力以下になるまで、該残り２つの信号（即ちＰＲＡＣＨ信号と該物理アップリンクチャネル信号）の送信電力を均一に低減する。
【００７２】
ステップ７１０：端末装置は、残りの送信電力が優先順位の２番目に高い信号の送信電力を満たすことができるか否かを判断し、ＹＥＳの場合、ステップ７１１に進み、そうでない場合、ステップ７１２に進む。
【００７３】
ステップ７１１：端末装置は、優先順位の２番目に高い信号の送信電力を満たし、調整後の総送信電力が端末装置の最大出力電力以下になるまで、優先順位の最も低い信号の送信電力を低減する。
【００７４】
ステップ７１２：端末装置は、優先順位の最も低い信号の送信電力を０に設定し、残りの送信電力を優先順位の２番目に高い信号に割り当てる。
【００７５】
図７ｃには、同時に送信される物理アップリンクチャネル信号が３種類ある場合を示している。
【００７６】
ステップ７１３：端末装置は、優先順位の最も高い信号の送信電力を満たす。
【００７７】
ステップ７１４：端末装置は、残りの送信電力が優先順位の２番目に高い信号の送信電力を満たすことができるか否かを判断し、ＹＥＳの場合、ステップ７１６に進み、そうでない場合、ステップ７１５に進む。
【００７８】
ステップ７１５：端末装置は、残りの送信電力を優先順位の２番目に高い信号に割り当て、他の信号の送信電力を０に設定する。
【００７９】
ステップ７１６：端末装置は、優先順位の２番目に高い信号の送信電力を優先的に満たす。
【００８０】
ステップ７１７：端末装置は、残り２つの信号の優先順位が同じであるか否かを判断し、ＹＥＳの場合、ステップ７１８に進み、そうでない場合、ステップ７１９に進む。
【００８１】
ステップ７１８：調整後の総送信電力が端末装置の最大出力電力以下になるまで、該残り２つの信号の送信電力を均一に低減する。
【００８２】
ステップ７１９：端末装置は、残りの送信電力が該残り２つの信号のうち優先順位の高い信号の送信電力を満たすことができるか否かを判断し、ＹＥＳの場合、ステップ７２０に進み、そうでない場合、ステップ７２１に進む。
【００８３】
ステップ７２０：端末装置は、該残り２つの信号のうち優先順位の相対的に高い信号の送信電力を満たし、調整後の総送信電力が端末装置の最大出力電力以下になるまで、優先順位の最も低い信号の送信電力を低減する。
【００８４】
ステップ７２１：端末装置は、優先順位の最も低い信号の送信電力を０に設定し、残りの送信電力を該残り２つの信号のうち優先順位の相対的に高い信号に割り当てる。
【００８５】
本実施例では、他のサービングセルにおいて送信される物理アップリンクチャネル信号の種類及び優先順位が異なるため、送信電力が調整される信号も異なる。図７の方法をよりわかるように、以下のケースを分けて説明する。
【００８６】
物理アップリンクチャネル信号が１種類のみあるケースは以下のとおりである。
【００８７】
物理アップリンクチャネル信号がＵＣＩを有しないＰＵＳＣＨ信号である、即ち、端末装置が同一のサブフレーム内で１つのＳｃｅｌｌにおいてＰＲＡＣＨ信号を送信し、ＰＣｅｌｌ又は他のＳｃｅｌｌにおいてＵＣＩを有しないＰＵＳＣＨ信号を送信する場合、端末装置は、上記式（５）と（４）に基づいて各ＰＵＳＣＨに必要な送信電力及びＰＲＡＣＨに必要な送信電力をそれぞれ計算する。この際に得られた総送信電力が端末装置の最大出力電力を超えた場合、端末装置は、本実施例で予め設定されたＵＣＩを有しないＰＵＳＣＨ信号の優先順位がＰＲＡＣＨ信号の優先順位以下であるという所定の優先順位に基づいて調整を行う。具体的には、ＵＣＩを有しないＰＵＳＣＨ信号の優先順位とＰＲＡＣＨ信号の優先順位とが等しい場合、端末装置は、総送信電力が端末装置の最大出力電力以下になるまで、ＰＲＡＣＨ信号と全てのＵＣＩを有しないＰＵＳＣＨ信号の送信電力を均一に低減し、ＵＣＩを有しないＰＵＳＣＨ信号の優先順位がＰＲＡＣＨ信号の優先順位よりも低い場合、端末装置は、ＰＲＡＣＨの送信電力を優先的に満たし、即ちＰＲＡＣＨに必要な送信電力をＰＲＡＣＨに割り当てて、総送信電力が端末装置の最大出力電力以下になるまで、全てのＵＣＩを有しないＰＵＳＣＨ信号の送信電力を均一に低減する。
【００８８】
物理アップリンクチャネル信号がＵＣＩを有するＰＵＳＣＨ信号である、即ち、端末装置が同一のサブフレーム内で１つのＳｃｅｌｌにおいてＰＲＡＣＨ信号を送信し、ＰＣｅｌｌ又は他のＳｃｅｌｌにおいてＵＣＩを有するＰＵＳＣＨ信号を送信する場合、端末装置は、上記式（５）と（４）に基づいて各ＰＵＳＣＨに必要な送信電力及びＰＲＡＣＨに必要な送信電力をそれぞれ計算する。この際に得られた総送信電力が端末装置の最大出力電力を超えた場合、端末装置は、本実施例で予め設定されたＰＲＡＣＨ信号の優先順位がＵＣＩを有するＰＵＳＣＨ信号の優先順位よりも低いということに基づいて、ＵＣＩを有するＰＵＳＣＨ信号の送信電力を優先的に満たし、即ちＵＣＩを有するＰＵＳＣＨに必要な送信電力をＵＣＩを有するＰＵＳＣＨに割り当てて、総送信電力が端末装置の最大出力電力以下になるまで、ＰＲＡＣＨ信号の送信電力を均一に低減する。
【００８９】
物理アップリンクチャネル信号がＰＵＣＣＨ信号である、即ち、端末装置が同一のサブフレーム内で１つのＳｃｅｌｌにおいてＰＲＡＣＨ信号を送信し、ＰＣｅｌｌ又は他のＳｃｅｌｌにおいてＰＵＣＣＨ信号を送信する場合、端末装置は、上記式（７）と（４）に基づいてＰＵＣＣＨに必要な送信電力及びＰＲＡＣＨに必要な送信電力をそれぞれ計算する。この際に得られた総送信電力が端末装置の最大出力電力を超えた場合、端末装置は、本実施例で予め設定されたＰＲＡＣＨ信号の優先順位がＰＵＣＣＨ信号の優先順位よりも低いということに基づいて、ＰＵＣＣＨの送信電力を優先的に満たし、即ちＰＵＣＣＨに必要な送信電力をＰＵＣＣＨに割り当てて、総送信電力が端末装置の最大出力電力以下になるまで、ＰＲＡＣＨ信号の送信電力を均一に低減する。
【００９０】
物理アップリンクチャネル信号が２種類のみあるケースは以下のとおりである。
【００９１】
物理アップリンクチャネル信号がＵＣＩを有しないＰＵＳＣＨ信号とＵＣＩを有するＰＵＳＣＨ信号である、即ち、端末装置が同一のサブフレーム内で１つのＳｃｅｌｌにおいてＰＲＡＣＨ信号を送信し、ＰＣｅｌｌ又は他のＳｃｅｌｌにおいてＵＣＩを有しないＰＵＳＣＨ信号及びＵＣＩを有するＰＵＳＣＨ信号を送信する場合、端末装置は、上記式（５）と（４）に基づいて各ＰＵＳＣＨに必要な送信電力及びＰＲＡＣＨに必要な送信電力をそれぞれ計算する。この際に得られた総送信電力が端末装置の最大出力電力を超えた場合、端末装置は、本実施例で予め設定されたＵＣＩを有しないＰＵＳＣＨ信号の優先順位がＰＲＡＣＨ信号の優先順位以下であり、且つＰＲＡＣＨ信号の優先順位がＵＣＩを有するＰＵＳＣＨ信号の優先順位よりも低いということに基づいて、ＵＣＩを有するＰＵＳＣＨ信号の送信電力を優先的に満たし、即ちＵＣＩを有するＰＵＳＣＨに必要な送信電力をＵＣＩを有するＰＵＳＣＨに割り当てて、残りの送信電力について、同時に送信されたＵＣＩを有しないＰＵＳＣＨ信号の優先順位がＰＲＡＣＨ信号の優先順位以下であるため、端末装置は異なる処理行う。ＵＣＩを有しないＰＵＳＣＨ信号の優先順位がＰＲＡＣＨ信号の優先順位よりも低い場合は、端末装置は、残りの送信電力がＰＲＡＣＨ信号に必要な送信電力を満たすことができるか否かを判断し、満たすことができるとき、ＰＲＡＣＨ信号の送信電力を満たし、総送信電力が端末装置の最大出力電力以下になるまで、全てのＵＣＩを有しないＰＵＳＣＨ信号の送信電力を均一に低減し、満たすことができないとき、ＵＣＩを有しないＰＵＳＣＨ信号の送信電力を０に設定し、残りの送信電力をＰＲＡＣＨ信号に割り当てる。ＵＣＩを有しないＰＵＳＣＨ信号の優先順位がＰＲＡＣＨ信号の優先順位と等しい場合は、端末装置は、総送信電力が端末装置の最大出力電力以下になるまで、ＰＲＡＣＨ信号及び全てのＵＣＩを有しないＰＵＳＣＨ信号の送信電力を均一に低減する。
【００９２】
物理アップリンクチャネル信号がＵＣＩを有しないＰＵＳＣＨ信号とＰＵＣＣＨ信号である、即ち、端末装置が同一のサブフレーム内で１つのＳｃｅｌｌにおいてＰＲＡＣＨ信号を送信し、ＰＣｅｌｌ又は他のＳｃｅｌｌにおいてＵＣＩを有しないＰＵＳＣＨ信号を送信し、ＰＣｅｌｌにおいてＰＵＣＣＨ信号を送信する場合、端末装置は、上記式（４）、（５）、（７）又は（４）、（６）、（７）に基づいてＰＵＣＣＨに必要な送信電力、ＰＵＳＣＨに必要な送信電力及びＰＲＡＣＨに必要な送信電力をそれぞれ計算する。この際に得られた総送信電力が端末装置の最大出力電力を超えた場合、端末装置は、本実施例で予め設定されたＵＣＩを有しないＰＵＳＣＨ信号の優先順位がＰＲＡＣＨ信号の優先順位以下であり、且つＰＲＡＣＨ信号の優先順位がＰＵＣＣＨ信号の優先順位よりも低いということに基づいて、ＰＵＣＣＨ信号の送信電力を優先的に満たし、即ちＰＵＣＣＨに必要な送信電力をＰＵＣＣＨに割り当てて、残りの送信電力について、同時に送信されたＵＣＩを有しないＰＵＳＣＨ信号の優先順位がＰＲＡＣＨ信号の優先順位以下であるため、端末装置は異なる処理行う。ＵＣＩを有しないＰＵＳＣＨ信号の優先順位がＰＲＡＣＨ信号の優先順位よりも低い場合は、端末装置は、残りの送信電力がＰＲＡＣＨ信号に必要な送信電力を満たすことができるか否かを判断し、満たすことができるとき、ＰＲＡＣＨ信号の送信電力を満たし、総送信電力が端末装置の最大出力電力以下になるまで、全てのＵＣＩを有しないＰＵＳＣＨ信号の送信電力を均一に低減し、満たすことができないとき、ＵＣＩを有しないＰＵＳＣＨ信号の送信電力を０に設定し、残りの送信電力をＰＲＡＣＨ信号に割り当てる。ＵＣＩを有しないＰＵＳＣＨ信号の優先順位がＰＲＡＣＨ信号の優先順位と等しい場合は、端末装置は、総送信電力が端末装置の最大出力電力以下になるまで、ＰＲＡＣＨ信号及び全てのＵＣＩを有しないＰＵＳＣＨ信号の送信電力を均一に低減する。
【００９３】
物理アップリンクチャネル信号がＵＣＩを有するＰＵＳＣＨ信号とＰＵＣＣＨ信号である、即ち、端末装置が同一のサブフレーム内で１つのＳｃｅｌｌにおいてＰＲＡＣＨ信号を送信し、ＰＣｅｌｌ又は他のＳｃｅｌｌにおいてＵＣＩを有するＰＵＳＣＨ信号を送信し、ＰＣｅｌｌにおいてＰＵＣＣＨ信号を送信する場合、端末装置は、上記式（４）、（５）、（７）又は（４）、（５）、（６）に基づいてＰＵＣＣＨに必要な送信電力、ＰＵＳＣＨに必要な送信電力及びＰＲＡＣＨに必要な送信電力をそれぞれ計算する。この際に得られた総送信電力が端末装置の最大出力電力を超えた場合、端末装置は、本実施例で予め設定されたＰＲＡＣＨ信号の優先順位がＵＣＩを有するＰＵＳＣＨ信号の優先順位よりも低く、且つＵＣＩを有するＰＵＳＣＨ信号の優先順位がＰＵＣＣＨ信号の優先順位よりも低いということに基づいて、ＰＵＣＣＨ信号の送信電力を優先的に満たし、即ちＰＵＣＣＨに必要な送信電力をＰＵＣＣＨに割り当てて、残りの送信電力について、残りの送信電力がＵＣＩを有するＰＵＳＣＨ信号に必要な送信電力を満たすことができるか否かを判断し、満たすことができるとき、ＵＣＩを有するＰＵＳＣＨ信号の送信電力を満たし、総送信電力が端末装置の最大出力電力以下になるまで、ＰＲＡＣＨ信号の送信電力を均一に低減し、満たすことができないとき、ＰＲＡＣＨ信号の送信電力を０に設定し、残りの送信電力をＵＣＩを有するＰＵＳＣＨ信号に割り当てる。
【００９４】
物理アップリンクチャネル信号が３種類のみあるケースは以下のとおりである。
【００９５】
物理アップリンクチャネル信号がＵＣＩを有しないＰＵＳＣＨ信号、ＵＣＩを有するＰＵＳＣＨ信号、及びＰＵＣＣＨ信号である、即ち、端末装置が同一のサブフレーム内で１つのＳｃｅｌｌにおいてＰＲＡＣＨ信号を送信し、ＰＣｅｌｌ又は他のＳｃｅｌｌにおいてＵＣＩを有しないＰＵＳＣＨ信号及びＵＣＩを有するＰＵＳＣＨ信号を送信し、ＰＣｅｌｌにおいてＰＵＣＣＨ信号を送信する場合、端末装置は、上記式（４）、（５）、（７）又は式（４）、（５）、（６）に基づいてＰＵＣＣＨに必要な送信電力、ＰＵＳＣＨに必要な送信電力及びＰＲＡＣＨに必要な送信電力をそれぞれ計算する。この際に得られた総送信電力が端末装置の最大出力電力を超えた場合、端末装置は、本実施例で予め設定されたＵＣＩを有しないＰＵＳＣＨ信号の優先順位がＰＲＡＣＨ信号の優先順位以下であり、ＰＲＡＣＨ信号の優先順位がＵＣＩを有するＰＵＳＣＨ信号の優先順位よりも低く、ＵＣＩを有するＰＵＳＣＨ信号の優先順位がＰＵＣＣＨ信号の優先順位よりも低いということに基づいて、ＰＵＣＣＨ信号の送信電力を優先的に満たし、即ちＰＵＣＣＨに必要な送信電力をＰＵＣＣＨに割り当てて、残りの送信電力について、端末装置は、残りの送信電力がＵＣＩを有するＰＵＳＣＨ信号の送信電力を満たすことができるか否かを判断する。ＵＣＩを有するＰＵＳＣＨ信号の送信電力を満たすことができる場合は、端末装置は、ＵＣＩを有するＰＵＳＣＨ信号の送信電力を満たし、残りの送信電力について、同時に送信されたＵＣＩを有しないＰＵＳＣＨ信号の優先順位がＰＲＡＣＨ信号の優先順位以下であるため、端末装置は異なる処理行う。ＵＣＩを有しないＰＵＳＣＨ信号の優先順位がＰＲＡＣＨ信号の優先順位よりも低い場合は、端末装置は、残りの送信電力がＰＲＡＣＨ信号に必要な送信電力を満たすことができるか否かを判断し、満たすことができるとき、ＰＲＡＣＨ信号の送信電力を満たし、総送信電力が端末装置の最大出力電力以下になるまで、全てのＵＣＩを有しないＰＵＳＣＨ信号の送信電力を均一に低減し、満たすことができないとき、ＵＣＩを有しないＰＵＳＣＨ信号の送信電力を０に設定し、残りの送信電力をＰＲＡＣＨ信号に割り当てる。ＵＣＩを有しないＰＵＳＣＨ信号の優先順位がＰＲＡＣＨ信号の優先順位と等しい場合は、端末装置は、総送信電力が端末装置の最大出力電力以下になるまで、ＰＲＡＣＨ信号及び全てのＵＣＩを有しないＰＵＳＣＨ信号の送信電力を均一に低減する。一方、ＵＣＩを有するＰＵＳＣＨ信号の送信電力を満たすことができない場合は、端末装置は、ＰＲＡＣＨの送信電力及び全てのＵＣＩを有しないＰＵＳＣＨの送信電力を０に設定し、残りの送信電力をＵＣＩを有するＰＵＳＣＨ信号に割り当てる。
【００９６】
本実施例の電力制御方法によれば、端末装置が同一のＯＦＤＭシンボル内で異なるサービングセルにおいてＰＲＡＣＨ信号とＳＲＳ信号を送信する場合、ＳＲＳ信号をドロップしてＰＲＡＣＨ信号のみを送信する、或いはＳＲＳ信号と同一のＯＦＤＭシンボル内に位置するＰＲＡＣＨ信号を破壊してＳＲＳ信号のみを送信することで、端末装置の送信電力を低減し、端末装置が同一のＯＦＤＭシンボル内でＳＲＳとＰＲＡＣＨを同時に送信することによる総送信電力が該端末装置の設定最大出力電力よりも大きいという問題点を解決できる。さらに、端末装置が同一のサブフレーム内で１つのＳＣｅｌｌにおいてＰＲＡＣＨ信号を送信し、他のＣｅｌｌにおいて物理アップリンクチャネル信号を送信する場合、端末装置の総送信電力が前記端末装置の最大出力電力よりも大きいとき、端末装置は該ＰＲＡＣＨ信号及び該物理アップリンクチャネル信号の優先順位に基づいて、調整後の総送信電力が前記端末装置の最大出力電力以下になるまで、送信電力を調整することで、Ｒｅｌ−１１に新たに発生した端末装置の電力が制限されているケースに対して、実現可能な電力制御方法を提供できる。
【００９７】
下記実施例３に示すように、本発明の実施例は、電力制御方法をさらに提供する。実施例１、実施例２の方法と異なるのは、実施例３の方法では、同一のＯＦＤＭシンボル内でＰＲＡＣＨ信号とＳＲＳ信号を同時に送信する場合、そのうち１種類の信号のみを送信することではなく、両者を同時に送信し、優先順位に基づいて優先順位の相対的に低い信号の送信電力を制御する。具体的な説明は以下のとおりである。
【００９８】
＜実施例３＞
図８は、本発明の他の実施例に係る電力制御方法のフローチャートである。図８に示すように、該方法は以下のステップを含む。
【００９９】
ステップ８０１：端末装置が同一の直交周波数分割多重（ＯＦＤＭ）シンボル内で１つの二次サービングセルにおいて物理ランダムアクセスチャネル（ＰＲＡＣＨ）信号を送信し、他のサービングセルにおいてアップリンクのサウンディング参照信号（ＳＲＳ）を送信するか否かを決定する。
【０１００】
ここで、他のサービングセルは、プライマリサービングセル（ＰＣｅｌｌ）であってもよいし、上記二次サービングセル以外の他の二次サービングセル（ＳＣｅｌｌ）であってもよい。
【０１０１】
ここで、ＳＲＳ信号は、周期的なＳＲＳ信号であってもよいし、非周期的なＳＲＳ信号であってもよい。
【０１０２】
ステップ８０２：端末装置が同一の直交周波数分割多重（ＯＦＤＭ）シンボル内で１つの二次サービングセルにおいて物理ランダムアクセスチャネル（ＰＲＡＣＨ）信号を送信し、他のサービングセルにおいてアップリンクのサウンディング参照信号（ＳＲＳ）を送信すると決定された場合、計算することで得られた端末装置の総送信電力（ＰＲＡＣＨ信号を送信する送信電力とＳＲＳ信号を送信する送信電力との和）が該端末装置の最大出力電力よりも大きいとき、端末装置は、該ＰＲＡＣＨ信号及び該ＳＲＳ信号の優先順位に基づいて、該ＰＲＡＣＨ信号及び該ＳＲＳ信号の送信電力を調整する。
【０１０３】
ここで、本実施例では、ＰＲＡＣＨ信号の優先順位をＳＲＳ信号の優先順位よりも低くするように設定され、端末装置は、該端末装置の最大出力電力が該ＳＲＳ信号の送信電力を満たすことができるか否かを判断する。判断結果がＹＥＳの場合、端末装置は、該ＳＲＳ信号の送信電力を満たし、残りの送信電力を該ＰＲＡＣＨ信号に割り当てる。判断結果がＮＯの場合、端末装置は、ＰＲＡＣＨ信号の送信電力を０に設定し、送信電力（最大出力電力）を全てのＳＲＳ信号に均一に割り当てる。
【０１０４】
以上の方法によれば、同一のＯＤＦＭシンボル内で異なるサービングセルにおいてＰＲＡＣＨ信号とＳＲＳ信号を同時に送信する場合、端末装置が各信号の送信電力を制御することで、優先順位の高い信号の送信を確保でき、例えばＳＲＳ信号の送信を確保できるため、端末装置が同一のＯＤＦＭシンボル内でＳＲＳ信号及びＰＲＡＣＨ信号を同時に送信することによる、総送信電力が設定最大出力電力よりも大きいという問題点を解決できる。
【０１０５】
実施例４に示すように、本発明の実施例は、端末装置の電力制御方法をさらに提供する。該方法は、実施例３の方法を基礎として、端末装置が同一のサブフレーム内で１つの二次サービングセルにおいてＰＲＡＣＨ信号を送信し、他のサービングセルにおいて物理アップリンクチャネル信号を送信する場合の端末装置の電力制御プロセスである。なお、実施例３と重複する部分は、ここで省略とされる。
【０１０６】
＜実施例４＞
図９は、本発明の実施例に係る電力制御方法のフローチャートである。図９に示すように、該方法は以下のステップを含む。
【０１０７】
ステップ９０１：端末装置が同一の直交周波数分割多重（ＯＦＤＭ）シンボル内で１つの二次サービングセルにおいて物理ランダムアクセスチャネル（ＰＲＡＣＨ）信号を送信し、他のサービングセルにおいてアップリンクのサウンディング参照信号（ＳＲＳ）を送信すると決定された場合、計算することで得られた端末装置の総送信電力（ＰＲＡＣＨ信号を送信する送信電力とＳＲＳ信号を送信する送信電力との和）が該端末装置の最大出力電力よりも大きいとき、端末装置は、該ＰＲＡＣＨ信号及び該ＳＲＳ信号の優先順位に基づいて、優先順位の相対的に低い信号の送信電力を調整する。
【０１０８】
なお、該ステップ９０１の処理と実施例３の方法の処理と同じであるため、その説明はここで省略とされる。
【０１０９】
ステップ９０２：端末装置が同一のサブフレーム内で１つの二次サービングセルにおいてＰＲＡＣＨ信号を送信し、他のサービングセルにおいて物理アップリンクチャネル信号を送信する場合、計算により得られた端末装置の総送信電力（即ちＰＲＡＣＨ信号を送信する送信電力と物理アップリンクチャネル信号を送信する送信電力との和）が該端末装置の最大出力電力よりも大きいとき、端末装置は、所定の該ＰＲＡＣＨ信号及び該物理アップリンクチャネル信号の優先順位に基づいて、調整後の総送信電力が該端末装置の最大出力電力以下になるまで、該ＰＲＡＣＨ信号及び／又は該物理アップリンクチャネル信号の送信電力を調整する。
【０１１０】
ここで、他のサービングセルにおいて送信可能な物理アップリンクチャネル信号は、物理アップリンク制御チャネル（ＰＵＣＣＨ）信号、ＵＣＩを有する物理アップリンク共有チャネル（ＰＵＳＣＨ）信号、及びＵＣＩを有しない物理アップリンク共有チャネル（ＰＵＳＣＨ）信号の任意の組み合わせを含む。なお、他のサービングセルは該物理アップリンクチャネル信号の類別によって異なり、例えばＰＵＳＣＨ信号について、他のサービングセルはプライマリサービングセルであってもよいし、上記二次サービングセル以外の他の二次サービングセルであってもよい、ＰＵＣＣＨ信号について、他のサービングセルはプライマリサービングセルを指す。
【０１１１】
ここで、該他のサービングセルにおいて送信された物理アップリンクチャネル信号の類別が異なるため、本実施例では、端末装置の該ＰＲＡＣＨ信号を送信する送信電力と該物理アップリンクチャネル信号を送信する送信電力との総送信電力が該端末装置の最大出力電力よりも大きいとき、端末装置は、該ＰＲＡＣＨ信号及び該物理アップリンクチャネル信号の優先順位に基づいて、調整後の総送信電力が該端末装置の最大出力電力以下になるまで、該ＰＲＡＣＨ信号又は該物理アップリンクチャネル信号の送信電力を調整する。ここで、各信号の優先順位は予め設定されてもよく、本実施例では、各信号の優先順位は、ＰＲＡＣＨ信号の優先順位がＵＣＩを有しないＰＵＳＣＨ信号の優先順位よりも低く、ＵＣＩを有しないＰＵＳＣＨ信号の優先順位がＵＣＩを有するＰＵＳＣＨ信号の優先順位よりも低く、ＵＣＩを有するＰＵＳＣＨ信号の優先順位がＰＵＣＣＨ信号の優先順位よりも低い。
【０１１２】
本実施例では、優先順位の相対的に低い信号は端末装置に対して相対的に重要ではないため、本実施例では、優先順位の相対的に低い信号の送信電力を低減し、優先順位の相対的に高い信号の送信を確保する、というルールに従う。以下の説明では、残りの送信電力とは、端末装置の最大出力電力から既に割り当てられた送信電力を引いて残った送信電力を指す。
【０１１３】
本実施例では、同一のＯＦＤＭシンボル内でＰＲＡＣＨ及びＳＲＳを送信するため、同一のサブフレームにおいてＰＲＡＣＨ及び物理アップリンクチャネル信号を送信する場合、実施例４のステップ９０２の処理と実施例２のステップ６０２の処理とは少し異なる。具体的には、ステップ９０２は図１０ａ〜図１０ｃに示す方法により実現でき、図１０ａ〜図１０ｃを参照しながら説明する。
【０１１４】
図１０ａ〜図１０ｃに示すように、該方法は以下のステップを含む。
【０１１５】
ステップ１００１：端末装置は、送信される各信号の送信電力を計算することで総送信電力を取得する。
【０１１６】
ステップ１００２：端末装置は、該総送信電力が該端末装置の最大出力電力よりも大きいか否かを判断し、ＹＥＳの場合、ステップ１００３に進み、そうでない場合、処理を終了する。
【０１１７】
ステップ１００３：端末装置は、送信される物理アップリンクチャネル信号の種類の数を判断し、１種類のみの場合、ステップ１００４に進み、２種類の場合、ステップ１００７に進み、３種類の場合、ステップ１０１１に進む。
【０１１８】
図１０ａには、同時に送信される物理アップリンクチャネル信号が１種類のみある場合を示している。
【０１１９】
ステップ１００４：端末装置は、優先順位の高い信号の送信電力を満たすことができるか否かを判断し、ＹＥＳの場合、ステップ１００５に進み、そうでない場合、ステップ１００６に進む。
【０１２０】
ステップ１００５：端末装置は、優先順位の高い信号の送信電力を満たし、残りの送信電力を優先順位の低い信号に割り当てる。
【０１２１】
ステップ１００６：端末装置は、優先順位の低い信号の送信電力を０に設定し、残りの送信電力を優先順位の高い信号に割り当てる。
【０１２２】
図１０ｂには、同時に送信される物理アップリンクチャネル信号が２種類ある場合を示している。
【０１２３】
ステップ１００７：端末装置は、優先順位の最も高い信号の送信電力を優先的に満たす。
【０１２４】
ステップ１００８：端末装置は、残りの送信電力が優先順位の２番目に高い信号を満たすことができるか否かを判断し、ＹＥＳの場合、ステップ１００９に進み、そうでない場合、ステップ１０１０に進む。
【０１２５】
ステップ１００９：端末装置は、優先順位の２番目に高い信号の送信電力を満たし、残りの送信電力を優先順位の最も低い信号に割り当てる。
【０１２６】
ステップ１０１０：端末装置は、優先順位の最も低い信号の送信電力を０に設定し、残りの送信電力を優先順位の２番目に高い信号に割り当てる。
【０１２７】
図１０ｃには、同時に送信される物理アップリンクチャネル信号が３種類ある場合を示している。
【０１２８】
ステップ１０１１：端末装置は、優先順位の最も高い信号の送信電力を満たす。
【０１２９】
ステップ１０１２：端末装置は、残りの送信電力が優先順位の２番目に高い信号の送信電力を満たすことができるか否かを判断し、ＹＥＳの場合、ステップ１０１３に進み、そうでない場合、ステップ１０１７に進む。
【０１３０】
ステップ１０１３：端末装置は、優先順位の２番目に高い信号の送信電力を優先的に満たす。
【０１３１】
ステップ１０１４：端末装置は、残りの送信電力が優先順位の３番目に高い信号の送信電力を満たすことができるか否かを判断し、ＹＥＳの場合、ステップ１０１５に進み、そうでない場合、ステップ１０１６に進む。
【０１３２】
ステップ１０１５：端末装置は、優先順位の３番目に高い信号の送信電力を満たし、残りの送信電力を優先順位の最も低い信号に割り当てる。
【０１３３】
ステップ１０１６：端末装置は、優先順位の最も低い信号の送信電力を０に設定し、残りの送信電力を優先順位の３番目に高い信号に割り当てる。
【０１３４】
ステップ１０１７：端末装置は、残りの送信電力を優先順位の２番目に高い信号に割り当て、残りの信号の送信電力を０に設定する。
【０１３５】
本実施例では、他のサービングセルにおいて送信される物理アップリンクチャネル信号の種類及び優先順位が異なるため、送信電力が調整される信号も異なる。図１０の方法をよりわかるように、以下のケースを分けて説明する。
【０１３６】
物理アップリンクチャネル信号が１種類のみあるケースは以下のとおりである。
【０１３７】
物理アップリンクチャネル信号がＵＣＩを有しないＰＵＳＣＨ信号である、即ち、端末装置が同一のサブフレーム内で１つのＳｃｅｌｌにおいてＰＲＡＣＨ信号を送信し、ＰＣｅｌｌ又は他のＳｃｅｌｌにおいてＵＣＩを有しないＰＵＳＣＨ信号を送信する場合、端末装置は、上記式（５）と（４）に基づいて各ＰＵＳＣＨに必要な送信電力及びＰＲＡＣＨに必要な送信電力をそれぞれ計算する。この際に得られた総送信電力が端末装置の最大出力電力を超えた場合、本実施例で予め設定されたＰＲＡＣＨ信号の優先順位がＵＣＩを有しないＰＵＳＣＨ信号の優先順位よりも低いため、端末装置は、全てのＵＣＩを有しないＰＵＳＣＨ信号の送信電力を満たすことができるか否かを判断する。判断結果がＹＥＳの場合、端末装置は、すべてのＵＣＩを有しないＰＵＳＣＨ信号の送信電力を満たし、残りの送信電力をＰＲＡＣＨに割り当てる。判断結果がＮＯの場合、ＰＲＡＣＨの送信電力を０に設定し、残りの送信電力を各ＵＣＩを有しないＰＵＳＣＨに均一に割り当てる。
【０１３８】
物理アップリンクチャネル信号がＵＣＩを有するＰＵＳＣＨ信号である、即ち、端末装置が同一のサブフレーム内で１つのＳｃｅｌｌにおいてＰＲＡＣＨ信号を送信し、ＰＣｅｌｌ又は他のＳｃｅｌｌにおいてＵＣＩを有するＰＵＳＣＨ信号を送信する場合、端末装置は、上記式（５）と（４）に基づいて各ＰＵＳＣＨに必要な送信電力及びＰＲＡＣＨに必要な送信電力をそれぞれ計算する。この際に得られた総送信電力が端末装置の最大出力電力を超えた場合、端末装置は、本実施例で予め設定されたＰＲＡＣＨ信号の優先順位がＵＣＩを有するＰＵＳＣＨ信号の優先順位よりも低いということに基づいて、ＵＣＩを有するＰＵＳＣＨ信号の送信電力を優先的に満たし、残りの送信電力をＰＲＡＣＨに割り当てる。
【０１３９】
物理アップリンクチャネル信号がＰＵＣＣＨ信号である、即ち、端末装置が同一のサブフレーム内で１つのＳｃｅｌｌにおいてＰＲＡＣＨ信号を送信し、ＰＣｅｌｌ又は他のＳｃｅｌｌにおいてＰＵＣＣＨ信号を送信する場合、端末装置は、上記式（２）と（４）に基づいてＰＵＣＣＨに必要な送信電力及びＰＲＡＣＨに必要な送信電力をそれぞれ計算する。この際に得られた総送信電力が端末装置の最大出力電力を超えた場合、端末装置は、本実施例で予め設定されたＰＲＡＣＨ信号の優先順位がＰＵＣＣＨ信号の優先順位よりも低いということに基づいて、ＰＵＣＣＨの送信電力を優先的に満たし、残りの送信電力をＰＲＡＣＨに割り当てる。
【０１４０】
物理アップリンクチャネル信号が２種類のみあるケースは以下のとおりである。
【０１４１】
物理アップリンクチャネル信号がＵＣＩを有しないＰＵＳＣＨ信号とＵＣＩを有するＰＵＳＣＨ信号である、即ち、端末装置が同一のサブフレーム内で１つのＳｃｅｌｌにおいてＰＲＡＣＨ信号を送信し、ＰＣｅｌｌ又は他のＳｃｅｌｌにおいてＵＣＩを有しないＰＵＳＣＨ信号及びＵＣＩを有するＰＵＳＣＨ信号を送信する場合、端末装置は、上記式（５）と（４）に基づいて各ＰＵＳＣＨに必要な送信電力及びＰＲＡＣＨに必要な送信電力をそれぞれ計算する。この際に得られた総送信電力が端末装置の最大出力電力を超えた場合、端末装置は、本実施例で予め設定されたＰＲＡＣＨ信号の優先順位がＵＣＩを有しないＰＵＳＣＨ信号の優先順位よりも低く、且つＵＣＩを有しないＰＵＳＣＨ信号の優先順位がＵＣＩを有するＰＵＳＣＨ信号の優先順位よりも低いということに基づいて、ＵＣＩを有するＰＵＳＣＨ信号の送信電力を優先的に満たし、残りの送信電力がＵＣＩを有しない信号の送信電力を満たすことができるか否かを判断し、満たすことができるとき、ＵＣＩを有しないＰＵＳＣＨ信号の送信電力を満たし、残りの送信電力をＰＲＡＣＨに割り当て、満たすことができないとき、ＰＲＡＣＨ信号の送信電力を０に設定し、残りの送信電力を全てのＵＣＩを有しないＰＵＳＣＨ信号に均一に割り当てる。
【０１４２】
物理アップリンクチャネル信号がＵＣＩを有しないＰＵＳＣＨ信号とＰＵＣＣＨ信号である、即ち、端末装置が同一のサブフレーム内で１つのＳｃｅｌｌにおいてＰＲＡＣＨ信号を送信し、ＰＣｅｌｌ又は他のＳｃｅｌｌにおいてＵＣＩを有しないＰＵＳＣＨ信号を送信し、ＰＣｅｌｌにおいてＰＵＣＣＨ信号を送信する場合、端末装置は、上記式（４）、（５）、（７）又は（４）、（６）、（７）に基づいてＰＵＣＣＨに必要な送信電力、ＰＵＳＣＨに必要な送信電力及びＰＲＡＣＨに必要な送信電力をそれぞれ計算する。この際に得られた総送信電力が端末装置の最大出力電力を超えた場合、端末装置は、本実施例で予め設定されたＰＲＡＣＨ信号の優先順位がＵＣＩを有しないＰＵＳＣＨ信号の優先順位よりも低く、且つＰＲＡＣＨ信号の優先順位がＰＵＣＣＨ信号の優先順位よりも低いということに基づいて、ＰＵＣＣＨ信号の送信電力を優先的に満たし、残りの送信電力がＵＣＩを有しないＰＵＳＣＨ信号に必要な送信電力を満たすことができるか否かを判断し、満たすことができるとき、ＵＣＩを有しないＰＵＳＣＨ信号の送信電力を満たし、残りの送信電力をＰＲＡＣＨに割り当て、満たすことができないとき、ＰＲＡＣＨ信号の送信電力を０に設定し、残りの送信電力を全てＵＣＩを有しないＰＵＳＣＨ信号に均一に割り当てる。
【０１４３】
物理アップリンクチャネル信号がＵＣＩを有するＰＵＳＣＨ信号とＰＵＣＣＨ信号である、即ち、端末装置が同一のサブフレーム内で１つのＳｃｅｌｌにおいてＰＲＡＣＨ信号を送信し、ＰＣｅｌｌ又は他のＳｃｅｌｌにおいてＵＣＩを有するＰＵＳＣＨ信号を送信し、ＰＣｅｌｌにおいてＰＵＣＣＨ信号を送信する場合、端末装置は、上記式（４）、（５）、（７）又は（４）、（５）、（６）に基づいてＰＵＣＣＨに必要な送信電力、ＰＵＳＣＨに必要な送信電力及びＰＲＡＣＨに必要な送信電力をそれぞれ計算する。この際に得られた総送信電力が端末装置の最大出力電力を超えた場合、端末装置は、本実施例で予め設定されたＰＲＡＣＨ信号の優先順位がＵＣＩを有するＰＵＳＣＨ信号の優先順位よりも低く、且つＵＣＩを有するＰＵＳＣＨ信号の優先順位がＰＵＣＣＨ信号の優先順位よりも低いということに基づいて、ＰＵＣＣＨ信号の送信電力を優先的に満たし、残りの送信電力がＵＣＩを有するＰＵＳＣＨ信号に必要な送信電力を満たすことができるか否かを判断し、満たすことができるとき、ＵＣＩを有するＰＵＳＣＨ信号の送信電力を満たし、残りの送信電力をＰＲＡＣＨに割り当て、満たすことができないとき、ＰＲＡＣＨ信号の送信電力を０に設定し、残りの送信電力をＵＣＩを有するＰＵＳＣＨ信号に割り当てる。
【０１４４】
物理アップリンクチャネル信号が３種類のみあるケースは以下のとおりである。
【０１４５】
物理アップリンクチャネル信号がＵＣＩを有しないＰＵＳＣＨ信号、ＵＣＩを有するＰＵＳＣＨ信号、及びＰＵＣＣＨ信号である、即ち、端末装置が同一のサブフレーム内で１つのＳｃｅｌｌにおいてＰＲＡＣＨ信号を送信し、ＰＣｅｌｌ又は他のＳｃｅｌｌにおいてＵＣＩを有しないＰＵＳＣＨ信号及びＵＣＩを有するＰＵＳＣＨ信号を送信し、ＰＣｅｌｌにおいてＰＵＣＣＨ信号を送信する場合、端末装置は、上記式（４）、（５）、（７）又は式（４）、（５）、（６）に基づいてＰＵＣＣＨに必要な送信電力、ＰＵＳＣＨに必要な送信電力及びＰＲＡＣＨに必要な送信電力をそれぞれ計算する。この際に得られた総送信電力が端末装置の最大出力電力を超えた場合、端末装置は、本実施例で予め設定されたＰＲＡＣＨ信号の優先順位がＵＣＩを有しないＰＵＳＣＨ信号の優先順位よりも低く、ＵＣＩを有しないＰＵＳＣＨ信号の優先順位がＵＣＩを有するＰＵＳＣＨ信号の優先順位よりも低く、ＵＣＩを有するＰＵＳＣＨ信号の優先順位がＰＵＣＣＨ信号の優先順位よりも低いということに基づいて、ＰＵＣＣＨ信号の送信電力を優先的に満たし、残りの送信電力がＵＣＩを有するＰＵＳＣＨ信号の送信電力を満たすことができるか否かを判断する。ＵＣＩを有するＰＵＳＣＨ信号の送信電力を満たすことができない場合は、端末装置は、ＰＲＡＣＨの送信電力及び全てのＵＣＩを有しないＰＵＳＣＨの送信電力を０に設定し、残りの送信電力をＵＣＩを有するＰＵＳＣＨ信号に割り当てる。ＵＣＩを有するＰＵＳＣＨ信号の送信電力を満たすことができる場合は、端末装置は、ＵＣＩを有するＰＵＳＣＨ信号の送信電力を満たし、残りの送信電力がＵＣＩを有しないＰＵＳＣＨ信号の送信電力を満たすことができるか否かを判断する。ＵＣＩを有しないＰＵＳＣＨ信号の送信電力を満たすことができるとき、ＵＣＩを有しないＰＵＳＣＨ信号の送信電力を満たし、残りの送信電力をＰＲＡＣＨに割り当てる。ＵＣＩを有しないＰＵＳＣＨ信号の送信電力を満たすことができないとき、ＰＲＡＣＨ信号の送信電力を０に設定し、残りの送信電力を全てのＵＣＩを有しないＰＵＳＣＨ信号に割り当てる。
【０１４６】
本実施例の電力制御方法によれば、端末装置が同一のＯＦＤＭシンボル内で異なるサービングセルにおいてＰＲＡＣＨ信号とＳＲＳ信号を送信する場合、計算することで得られた端末装置の総送信電力が端末装置の最大出力電力よりも大きいとき、端末装置が優先順位の相対的に低い信号の送信電力を調整することで、総送信電力が該端末装置の最大出力電力以下になることを確保できる。よって、端末装置が同一のＯＦＤＭシンボル内でＳＲＳとＰＲＡＣＨを同時に送信することによる総送信電力が該端末装置の設定最大出力電力よりも大きいという問題点を解決できる。さらに、端末装置が同一のサブフレーム内で１つのＳＣｅｌｌにおいてＰＲＡＣＨ信号を送信し、他のＣｅｌｌにおいて物理アップリンクチャネル信号を送信する場合、端末装置の総送信電力が前記端末装置の最大出力電力よりも大きいとき、端末装置は該ＰＲＡＣＨ信号及び該物理アップリンクチャネル信号の優先順位に基づいて、調整後の総送信電力が前記端末装置の最大出力電力以下になるまで、送信電力を調整することで、Ｒｅｌ−１１に新たに発生した端末装置の電力が制限されているケースに対して、実現可能な電力制御方法を提供できる。
【０１４７】
下記の実施例５に述べたように、本発明の実施例は端末装置をさらに提供する。該端末装置の問題解決の原理と実施例１、実施例２の方法と類似するため、該端末装置の実施は、実施例１、実施例２の方法の実施を参照することができ、重複する部分の説明を省略とされる。
【０１４８】
＜実施例５＞
図１１は、本発明の実施例に係る端末装置の構成を示す図である。図１１に示すように、該端末装置は第１の決定部１１１、及び第１の処理部１１２を含む。
【０１４９】
第１の決定部１１１は、端末装置が同一の直交周波数分割多重（ＯＦＤＭ）シンボル内で１つの二次サービングセルにおいて物理ランダムアクセスチャネル（ＰＲＡＣＨ）信号を送信し、他のサービングセルにおいてアップリンクのサウンディング参照信号（ＳＲＳ）を送信するか否かを決定する。
【０１５０】
第１の処理部１１２は、該第１の決定部１１１によりＹＥＳと決定された場合、該他のサービングセルにおけるＳＲＳ信号をドロップする、或いは該二次サービングセルにおける、該他のサービングセルにおけるＳＲＳ信号と同一のＯＦＤＭシンボル内に位置するＰＲＡＣＨ信号のシンボルを破壊する。
【０１５１】
本実施例では、端末装置は、第２の決定部１１３、及び第２の処理部１１４をさらに含んでもよい。
【０１５２】
第２の決定部１１３は、端末装置が同一のサブフレーム内で１つの二次サービングセルにおいてＰＲＡＣＨ信号を送信し、他のサービングセルにおいて物理アップリンクチャネル信号を送信するか否かを決定する。
【０１５３】
第２の処理部１１４は、該第２の決定手段１１３によりＹＥＳと決定された場合、総送信電力が最大出力電力よりも大きいとき、所定の該ＰＲＡＣＨ信号及び該物理アップリンクチャネル信号の優先順位に基づいて、調整後の総送信電力が該端末装置の最大出力電力以下になるまで、該ＰＲＡＣＨ信号及び／又は該物理アップリンクチャネル信号の送信電力を調整する。
【０１５４】
１つの実施形態では、該物理アップリンクチャネル信号が１種類ある場合、第２の処理部１１４は、第１の判断モジュール１１４１、第１の処理モジュール１１４２、及び第２の処理モジュール１１４３を含む。
【０１５５】
第１の判断モジュール１１４１は、該ＰＲＡＣＨ信号の優先順位と前記物理アップリンクチャネル信号の優先順位とが同じであるか否かを判断する。
【０１５６】
第１の処理モジュール１１４２は、該第１の判断モジュール１１４１によりＹＥＳと判断された場合、調整後の総送信電力が該端末装置の最大出力電力以下になるまで、該ＰＲＡＣＨ信号及び該物理アップリンクチャネル信号の送信電力を均一に低減する。
【０１５７】
第２の処理モジュール１１４３は、該第１の判断モジュールによりＮＯと判断された場合、優先順位の高い信号の送信電力を優先的に満たし、調整後の総送信電力が該端末装置の最大出力電力以下になるまで、優先順位の低い信号の送信電力を低減する。
【０１５８】
もう１つの実施形態では、該物理アップリンクチャネル信号が２種類ある場合、第２の処理部１１４は、第３の処理モジュール１１４４、第２の判断モジュール１１４５、第４の処理モジュール１１４６、第３の判断モジュール１１４７、第５の処理モジュール１１４８、及び第６の処理モジュール１１４９を含む。
【０１５９】
第３の処理モジュール１１４４は、優先順位の最も高い信号の送信電力を優先的に満たす。
【０１６０】
第２の判断モジュール１１４５は、該第３の処理モジュール１１４４の処理後、残り２つの信号の優先順位が同じであるか否かを判断する。
【０１６１】
第４の処理モジュール１１４６は、該第２の判断モジュール１１４５によりＹＥＳと判断された場合、調整後の総送信電力が該端末装置の最大出力電力以下になるまで、該残り２つの信号の送信電力を均一に低減する。
【０１６２】
第３の判断モジュール１１４７は、該第２の判断モジュール１１４５によりＮＯと判断された場合、残りの送信電力が優先順位の２番目に高い信号の送信電力を満たすことができるか否かを判断する。
【０１６３】
第５の処理モジュール１１４８は、該第３の判断モジュール１１４７によりＹＥＳと判断された場合、優先順位の２番目に高い信号の送信電力を満たし、調整後の総送信電力が該端末装置の最大出力電力以下になるまで、優先順位の最も低い信号の送信電力を低減する。
【０１６４】
第６の処理モジュール１１４９は、該第３の判断モジュール１１４７によりＮＯと判断された場合、優先順位の最も低い信号の送信電力を０に設定し、残りの送信電力を優先順位の２番目に高い信号に割り当てる。
【０１６５】
もう１つの実施形態では、該物理アップリンクチャネル信号が３種類ある場合、該第２の処理手段１１４は、第７の処理モジュール１１４１０、第４の判断モジュール１１４１１、第８の処理モジュール１１４１２、第９の処理モジュール１１４１３、第５の判断モジュール１１４１４、第１０の処理モジュール１１４１５、第６の判断モジュール１１４１６、第１１の処理モジュール１１４１７、及び第１２の処理モジュール１１４１８を含む。
【０１６６】
第７の処理モジュール１１４１０は、優先順位の最も高い信号の送信電力を優先的に満たす。
【０１６７】
第４の判断モジュール１１４１１は、該第７の処理モジュール１１４１０の処理後、残りの送信電力が優先順位の２番目に高い信号の送信電力を満たすことができるか否かを判断する。
【０１６８】
第８の処理モジュール１１４１２は、第４の判断モジュール１１４１１によりＮＯと判断された場合、残りの送信電力を優先順位の２番目に高い信号に割り当て、他の信号の送信電力を０に設定する。
【０１６９】
第９の処理モジュール１１４１３は、該第４の判断モジュール１１４１１によりＹＥＳと判断された場合、優先順位の２番目に高い信号の送信電力を優先的に満たす。
【０１７０】
第５の判断モジュール１１４１４は、該第９の処理モジュール１１４１３の処理後、残り２つの信号の優先順位が同じであるか否かを判断する。
【０１７１】
第１０の処理モジュール１１４１５は、該第５の判断モジュール１１４１４によりＹＥＳと判断された場合、調整後の総送信電力が該端末装置の最大出力電力以下になるまで、該残り２つの信号の送信電力を均一に低減する。
【０１７２】
第６の判断モジュール１１４１６は、該第５の判断モジュール１１４１４によりＮＯと判断された場合、残りの送信電力が該残り２つの信号のうち優先順位の高い信号の送信電力を満たすことができるか否かを判断する。
【０１７３】
第１１の処理モジュール１１４１７は、該第６の判断モジュール１１４１６によりＹＥＳと判断された場合、該優先順位の高い信号の送信電力を満たし、調整後の総送信電力が該端末装置の最大出力電力以下になるまで、優先順位の最も低い信号の送信電力を低減する。
【０１７４】
第１２の処理モジュール１１４１８は、該第６の判断モジュール１１４１６によりＮＯと判断された場合、優先順位の最も低い信号の送信電力を０に設定し、残りの送信電力を該優先順位の高い信号に割り当てる。
【０１７５】
本実施例では、該物理アップリンクチャネル信号は、物理アップリンク制御チャネル（ＰＵＣＣＨ）信号、ＵＣＩを有する物理アップリンク共有チャネル（ＰＵＳＣＨ）信号、及びＵＣＩを有しない物理アップリンク共有チャネル（ＰＵＳＣＨ）信号の任意の組み合わせを含んでもよい。ここで、該ＰＲＡＣＨ信号、該ＰＵＣＣＨ信号、該ＵＣＩを有するＰＵＳＣＨ信号、及び該ＵＣＩを有しないＰＵＳＣＨ信号の優先順位は、該ＵＣＩを有しないＰＵＳＣＨ信号の優先順位が該ＰＲＡＣＨ信号の優先順位以下であり、該ＰＲＡＣＨ信号の優先順位が該ＵＣＩを有するＰＵＳＣＨ信号の優先順位よりも低く、該ＵＣＩを有するＰＵＳＣＨ信号の優先順位が該ＰＵＣＣＨ信号の優先順位よりも低いものと設定されてもよい。
【０１７６】
本実施例の端末装置によれば、端末装置が同一のＯＦＤＭシンボル内で異なるサービングセルにおいてＰＲＡＣＨ信号とＳＲＳ信号を送信する場合、ＳＲＳ信号をドロップしてＰＲＡＣＨ信号のみを送信する、或いはＳＲＳ信号と同一のＯＦＤＭシンボル内に位置するＰＲＡＣＨ信号を破壊してＳＲＳ信号のみを送信することで、端末装置の送信電力を低減し、端末装置が同一のＯＦＤＭシンボル内でＳＲＳとＰＲＡＣＨを同時に送信することによる総送信電力が該端末装置の設定最大出力電力よりも大きいという問題点を解決できる。さらに、端末装置が同一のサブフレーム内で１つのＳＣｅｌｌにおいてＰＲＡＣＨ信号を送信し、他のＣｅｌｌにおいて物理アップリンクチャネル信号を送信する場合、端末装置の総送信電力が前記端末装置の最大出力電力よりも大きいとき、端末装置は該ＰＲＡＣＨ信号及び該物理アップリンクチャネル信号の優先順位に基づいて、調整後の総送信電力が前記端末装置の最大出力電力以下になるまで、送信電力を調整することで、Ｒｅｌ−１１に新たに発生した端末装置の電力が制限されているケースに対して、実現可能な電力制御方法を提供できる。
【０１７７】
下記実施例６に示すように、本発明の実施例は、端末装置をさらに提供する。該端末装置の問題解決の原理と実施例３、実施例４の方法と類似するため、該端末装置の実施は、実施例３、実施例４の実施を参照してもよく、重複する部分の説明を省略とされる。
【０１７８】
＜実施例６＞
図１２は、本発明の他の実施例に係る端末装置の構成を示す図である。図１２に示すように、該端末装置は、第１の決定部１２１、第１の判断部１２２、及び第１の処理部１２３を含む。
【０１７９】
第１の決定部１２１は、端末装置が同一の直交周波数分割多重（ＯＦＤＭ）シンボル内で１つの二次サービングセルにおいて物理ランダムアクセスチャネル（ＰＲＡＣＨ）信号を送信し、他のサービングセルにおいてアップリンクのサウンディング参照信号（ＳＲＳ）を送信するか否かを決定する。
【０１８０】
第１の判断部１２２は、該第１の決定部１２１によりＹＥＳと決定された場合、総送信電力が該端末装置の最大出力電力よりも大きいか否かを判断する。
【０１８１】
第１の処理部１２３は、該第１の判断部１２２によりＹＥＳと判断された場合、該ＰＲＡＣＨ信号及び該ＳＲＳ信号の優先順位に基づいて、該ＰＲＡＣＨ信号及び該ＳＲＳ信号の送信電力を調整する。
【０１８２】
１つの実施例では、第１の処理部１２３は、第１の判断モジュール１２３１、第１の処理モジュール１２３２、及び第２の処理モジュール１２３３を含む。
【０１８３】
第１の判断モジュール１２３１は、該端末装置の最大出力電力が該ＳＲＳ信号の送信電力を満たすことができるか否かを判断する。
【０１８４】
第１の処理モジュール１２３２は、該第１の判断モジュール１２３１によりＹＥＳと判断された場合、該ＳＲＳ信号の送信電力を満たし、残りの送信電力を該ＰＲＡＣＨ信号に割り当てる。
【０１８５】
第２の処理モジュール１２３３は、該第１の判断モジュール１２３１によりＮＯと判断された場合、該ＰＲＡＣＨ信号の送信電力を０に設定し、該最大出力電力を全てのＳＲＳ信号に均一に割り当てる。
【０１８６】
本実施例では、該端末装置は、第２の決定部１２４、第２の判断部１２５、及び第２の処理部１２６をさらに含んでもよい。
【０１８７】
第２の決定部１２４は、端末装置が同一のサブフレーム内で１つの二次サービングセルにおいてＰＲＡＣＨ信号を送信し、他のサービングセルにおいて物理アップリンクチャネル信号を送信するか否かを決定する。
【０１８８】
第２の判断部１２５は、該第２の決定部１２４によりＹＥＳと決定された場合、総送信電力が該端末装置の最大出力電力よりも大きいか否かを判断する。
【０１８９】
第２の処理部１２６は、該第２の判断部１２５によりＹＥＳと判断された場合、所定の該ＰＲＡＣＨ信号及び該物理アップリンクチャネル信号の優先順位に基づいて、調整後の総送信電力が該端末装置の最大出力電力以下になるまで、該ＰＲＡＣＨ信号の送信電力を調整する、或いは該ＰＲＡＣＨ信号及び該物理アップリンクチャネル信号の送信電力を調整する。
【０１９０】
１つの実施例では、該物理アップリンクチャネル信号が１種類ある場合、第２の処理部１２６は、第２の判断モジュール１２６１、第３の処理モジュール１２６２、及び第４の処理モジュール１２６３を含む。
【０１９１】
第２の判断モジュール１２６１は、該端末装置の最大出力電力が優先順位の高い信号の送信電力を満たすことができるか否かを判断する。
【０１９２】
第３の処理モジュール１２６２は、該第２の判断モジュール１２６１によりＹＥＳと判断された場合、優先順位の高い信号の送信電力を満たし、残りの送信電力を優先順位の低い信号に割り当てる。
【０１９３】
第４の処理モジュール１２６３は、該第２の判断モジュール１２６１によりＮＯと判断された場合、優先順位の低い信号の送信電力を０に設定し、残りの送信電力を優先順位の高い信号に割り当てる。
【０１９４】
もう一つの実施例では、該物理アップリンクチャネル信号が２種類ある場合、第２の処理部１２６は、第５の処理モジュール１２６４、第３の判断モジュール１２６５、第６の処理モジュール１２６６、及び第７の処理モジュール１２６７を含む。
【０１９５】
第５の処理モジュール１２６４は、優先順位の最も高い信号の送信電力を優先的に満たす。
【０１９６】
第３の判断モジュール１２６５は、該第５の処理モジュール１２６４の処理後、残りの送信電力が優先順位の２番目に高い信号の送信電力を満たすことができるか否かを判断する。
【０１９７】
第６の処理モジュール１２６６は、該第３の判断モジュール１２６５によりＹＥＳと判断された場合、優先順位の２番目に高い信号の送信電力を満たし、残りの送信電力を優先順位の最も低い信号に割り当てる。
【０１９８】
第７の処理モジュール１２６７は、該第３の判断モジュール１２６５によりＮＯと判断された場合、優先順位の最も低い信号の送信電力を０に設定し、残りの送信電力を優先順位の２番目に高い信号に割り当てる。
【０１９９】
もう１つの実施例では、該物理アップリンクチャネル信号が３種類ある場合、第２の処理部１２６は、第３の処理モジュール１２６８、第４の判断モジュール１２６９、第９の処理モジュール１２６１０、第１０の処理モジュール１２６１１、第５の判断モジュール１２６１２、第１１の処理モジュール１２６１３、及び第１２の処理モジュール１２６１４を含む。
【０２００】
第８の処理モジュール１２６８は、優先順位の最も高い信号の送信電力を優先的に満たす。
【０２０１】
第４の判断モジュール１２６９は、該第８の処理モジュール１２６８の処理後、残りの送信電力が優先順位の２番目に高い信号の送信電力を満たすことができるか否かを判断する。
【０２０２】
第９の処理モジュール１２６１０は、該第４の判断モジュール１２６９によりＮＯと判断された場合、残りの送信電力を優先順位の２番目に高い信号に割り当て、他の信号の送信電力を０に設定する。
【０２０３】
第１０の処理モジュール１２６１１は、該第４の判断モジュール１２６９によりＹＥＳと判断された場合、優先順位の２番目に高い信号の送信電力を満たす。
【０２０４】
第５の判断モジュール１２６１２は、該第１０の処理モジュール１２６１１の処理後、残りの送信電力が優先順位の３番目に高い信号の送信電力を満たすことができるか否かを判断する。
【０２０５】
第１１の処理モジュール１２６１３は、該第５の判断モジュール１２６１２によりＹＥＳと判断された場合、優先順位の３番目に高い信号の送信電力を満たし、残りの送信電力を優先順位の最も低い信号に割り当てる。
【０２０６】
第１２の処理モジュール１２６１４は、該第５の判断モジュールによりＮＯと判断された場合、優先順位の最も低い信号の送信電力を０に設定し、残りの送信電力を優先順位の３番目に高い信号に割り当てる。
【０２０７】
本実施例では、該物理アップリンクチャネル信号は、物理アップリンク制御チャネル（ＰＵＣＣＨ）信号、ＵＣＩを有する物理アップリンク共有チャネル（ＰＵＳＣＨ）信号、及びＵＣＩを有しない物理アップリンク共有チャネル（ＰＵＳＣＨ）信号の任意の組み合わせを含んでもよい。ここで、該ＰＲＡＣＨ信号、該ＰＵＣＣＨ信号、該ＵＣＩを有するＰＵＳＣＨ信号、及び該ＵＣＩを有しないＰＵＳＣＨ信号の優先順位は、該ＰＲＡＣＨ信号の優先順位が該ＵＣＩを有しないＰＵＳＣＨ信号の優先順位よりも低く、該ＵＣＩを有しないＰＵＳＣＨ信号の優先順位が該ＵＣＩを有するＰＵＳＣＨ信号の優先順位よりも低く、該ＵＣＩを有するＰＵＳＣＨ信号の優先順位が該ＰＵＣＣＨ信号の優先順位よりも低いものと設定されてもよい。
【０２０８】
本実施例の端末装置によれば、端末装置が同一のＯＦＤＭシンボル内で異なるサービングセルにおいてＰＲＡＣＨ信号とＳＲＳ信号を送信する場合、端末装置が優先順位の相対的に低い信号の送信電力を低減することで、総送信電力が該端末装置の最大出力電力以下になることを確保できる。よって、端末装置が同一のＯＦＤＭシンボル内でＳＲＳとＰＲＡＣＨを同時に送信することによる総送信電力が該端末装置の設定最大出力電力よりも大きいという問題点を解決できる。さらに、端末装置が同一のサブフレーム内で１つのＳＣｅｌｌにおいてＰＲＡＣＨ信号を送信し、他のＣｅｌｌにおいて物理アップリンクチャネル信号を送信する場合、端末装置は該ＰＲＡＣＨ信号及び該物理アップリンクチャネル信号の優先順位に基づいて、送信電力を調整することで、総送信電力が該端末装置の最大出力電力以下になることを確保でき、Ｒｅｌ−１１に新たに発生した端末装置の電力が制限されているケースに対して、実現可能な電力制御方法を提供できる。
【０２０９】
本発明の実施例は、コンピュータ読み出し可能なプログラムをさらに提供し、該コンピュータ読み出し可能なプログラムは、基地局においてプログラムを実行する際に、コンピュータに、実施例１〜実施例４に記載の制御シグナリングの伝送方法を該基地局において実行させる。
【０２１０】
本発明の実施例は、コンピュータ読み出し可能なプログラムを記憶する記憶媒体をさらに提供し、該コンピュータ読み出し可能なプログラムは、コンピュータに、実施例１〜実施例４に記載の制御シグナリングの伝送方法を基地局において実行させる。
【０２１１】
本発明の以上の装置及び方法は、ハードウェアにより実現されてもよく、ハードウェアとソフトウェアを結合して実現されてもよい。本発明はコンピュータが読み取り可能なプログラムに関し、該プログラムはロジック部により実行される時に、該ロジック部に上述した装置又は構成要件を実現させる、或いは該ロジック部に上述した各種の方法又はステップを実現させることができる。本発明は上記のプログラムを記憶するための記憶媒体、例えばハードディスク、ディスク、光ディスク、ＤＶＤ、フラッシュメモリ等に関する。
【０２１２】
以上、具体的な実施形態を参照しながら本発明を説明しているが、上記の説明は、例示的なものに過ぎず、本発明の保護の範囲を限定するものではない。本発明の趣旨及び原理を離脱しない限り、本発明に対して各種の変形及び修正を行ってもよく、これらの変形及び修正も本発明の範囲に属する。
【図１】
0005915741.tif 000010
【図２】
0005915741.tif 000011
【図３】
0005915741.tif 000012
【図４】
0005915741.tif 000013
【図５】
0005915741.tif 000014
【図６】
0005915741.tif 000015
【図７ａ】
0005915741.tif 000016
【図７ｂ】
0005915741.tif 000017
【図７ｃ】
0005915741.tif 000018
【図８】
0005915741.tif 000019
【図９】
0005915741.tif 000020
【図１０ａ】
0005915741.tif 000021
【図１０ｂ】
0005915741.tif 000022
【図１０ｃ】
0005915741.tif 000023
【図１１】
0005915741.tif 000024
【図１２】
0005915741.tif 000025